(57)【要約】  本開示の実施例は、データ伝送方法及び機器を提供する。該方法において、１周期内に構成されたリソース上でネットワーク機器へのデータ伝送を開始することと、端末が前記周期の境界を跨いでデータ伝送を行う必要がある場合、ＲＶ値又はリソース又はＤＭＲＳを現在の値から他の値に変更することとを含む。【選択図】  図３
2022501941.tif 000002
【特許請求の範囲】
【請求項１】
端末に応用されるデータ伝送方法であって、
１周期内に構成されたリソース上でネットワーク機器へのデータ伝送を開始することと、
前記端末が前記周期の境界を跨いでデータ伝送を行う必要がある場合、冗長バージョンＲＶ値又はリソース又は復調基準信号ＤＭＲＳを現在の値から他の値に変更することとを含む、データ伝送方法。
【請求項２】
ネットワーク機器によって構成されたリソース構成情報を受信することを更に含み、
前記リソース構成情報は、少なくとも、リソース割り当ての周期、繰り返し伝送回数Ｋ、１つのＲＶ系列、前記周期内のＫ個の伝送機会のリソース位置、前記端末による周期を跨ぐ伝送が前記ネットワーク機器に許容されるか否か、周期を跨ぐ伝送が許容される伝送機会の数、前記周期内での初回の繰り返し伝送が許容される伝送機会、周期の境界を跨いだ後の別のＲＶ系列、周期の境界を跨いだ後の別の復調基準信号ＤＭＲＳの１つ又は複数を含む、請求項１に記載のデータ伝送方法。
【請求項３】
前記ネットワーク機器によって構成されたリソース構成情報を受信した後に、
前記リソース構成情報に基づいて、前記周期の境界、前記Ｋ個の伝送機会の位置、及び伝送機会毎の繰り返し伝送のＲＶ値の１つ又は複数を決定することを更に含む、請求項２に記載のデータ伝送方法。
【請求項４】
前記ネットワーク機器によって構成されたリソース構成情報を受信した後に、
前記周期内のいずれかの伝送機会に初回の繰り返し伝送を行い、前記周期内に伝送機会があり、且つ、繰り返し伝送の総回数が前記Ｋ未満である場合、前記伝送機会に次の繰り返し伝送を行うことを更に含む、請求項２に記載のデータ伝送方法。
【請求項５】
前記の前記周期内のいずれかの伝送機会に初回の繰り返し伝送を行うことは、
前記周期内で最も早い伝送機会を選択して初回の繰り返し伝送を行うことを含み、
前記初回の繰り返し伝送のＲＶ値は、前記ＲＶ系列の第１値である０に等しい、請求項４に記載のデータ伝送方法。
【請求項６】
前記端末が繰り返し伝送を行う度に、前記繰り返し伝送が前記周期の境界を跨ぐか否かを判断することと、
前記周期の境界を跨がず、且つ繰り返し伝送の総回数が繰り返し伝送回数Ｋ未満である場合、ＲＶ系列におけるＲＶ値により前記繰り返し伝送を継続し、それに続き、前記繰り返し伝送後の繰り返し伝送が前記周期の境界を跨ぐか否かを判断することとを更に含む、請求項１に記載のデータ伝送方法。
【請求項７】
前記端末が繰り返し伝送を行う度に、前記繰り返し伝送が前記周期の境界を跨ぐか否かを判断することと、
前記周期の境界を跨ぎ、且つ前記端末による周期を跨ぐ伝送が前記ネットワーク機器に許容されない場合、繰り返し伝送を終了することとを更に含む、請求項１に記載のデータ伝送方法。
【請求項８】
前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしないこと、又は、
前記端末による周期を跨ぐ伝送が前記ネットワーク機器に許容される場合、前記周期を跨ぐ伝送の繰り返し伝送のうち、周期の境界を跨いだ後の別のＲＶ系列によりＲＶ値をとることを更に含む、請求項１に記載のデータ伝送方法。
【請求項９】
前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしないことは、
前記端末が繰り返し伝送を行う度に、前記繰り返し伝送が前記周期の境界を跨ぐか否かを判断することと、
前記周期の境界を跨ぎ、且つ前記端末による周期を跨ぐ伝送が前記ネットワーク機器に許容される場合、前記ＲＶ系列におけるＲＶ値が０であるかを判断することと、
前記ＲＶ系列におけるＲＶ値が０ではなく、且つ繰り返し伝送の総回数が繰り返し伝送回数Ｋ未満である場合、前記ＲＶ系列におけるＲＶ値により前記繰り返し伝送を継続し、それに続き、前記繰り返し伝送後の繰り返し伝送が前記周期の境界を跨ぐか否かを判断することとを更に含む、請求項８に記載のデータ伝送方法。
【請求項１０】
前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしないことは、
前記端末が繰り返し伝送を行う度に、前記繰り返し伝送が前記周期の境界を跨ぐか否かを判断することと、
前記周期の境界を跨ぎ、且つ前記端末による周期を跨ぐ伝送が前記ネットワーク機器に許容される場合、前記ＲＶ系列におけるＲＶ値が０であるかを判断することと、
前記ＲＶ系列におけるＲＶ値が０であり、且つ繰り返し伝送の総回数が繰り返し伝送回数Ｋ未満である場合、他のＲＶ値により前記繰り返し伝送を継続し、それに続き、前記繰り返し伝送後の繰り返し伝送が前記周期の境界を跨ぐか否かを判断することとを更に含む、請求項８に記載のデータ伝送方法。
【請求項１１】
前記端末による周期を跨ぐ伝送が前記ネットワーク機器に許容される場合、前記周期を跨ぐ伝送の繰り返し伝送のうち、周期の境界を跨いだ後の別の復調基準信号ＤＭＲＳにより復調基準信号ＤＭＲＳの値をとることを更に含み、
前記別のＤＭＲＳは、別のアンテナポートａｎｔｅｎｎａ  ｐｏｒｔであり、又は前記ＤＭＲＳの別の構成パラメータであり、又は前記ＤＭＲＳの生成における別のパラメータである、請求項１に記載のデータ伝送方法。
【請求項１２】
ネットワーク機器に応用されるデータ伝送方法であって、
端末に対して、少なくとも、リソース割り当ての周期、繰り返し伝送回数、冗長バージョンＲＶ系列、前記周期内での前記繰り返し伝送回数に等しい第１数のリソース位置、前記端末による周期を跨ぐ伝送が前記ネットワーク機器に許容されるか否か、周期の境界を跨いだ後の別のＲＶ系列、周期の境界を跨いだ後の別の復調基準信号ＤＭＲＳの１つ又は複数を含むリソース構成情報を送信することを含む、データ伝送方法。
【請求項１３】
端末であって、
１周期内に構成されたリソース上でネットワーク機器へのデータ伝送を開始する第１トランシーバと、
前記端末が前記周期の境界を跨いでデータ伝送を行う必要がある場合、ＲＶ値又はリソース又はＤＭＲＳを現在の値から他の値に変更する第１プロセッサとを含む、端末。
【請求項１４】
ネットワーク機器であって、
端末に対して、少なくとも、リソース割り当ての周期、繰り返し伝送回数、冗長バージョンＲＶ系列、前記周期内で前記繰り返し伝送回数に等しい第１数のリソース位置、前記端末による周期を跨ぐ伝送が前記ネットワーク機器に許容されるか否か、周期の境界を跨いだ後の別のＲＶ系列、周期の境界を跨いだ後の別の復調基準信号ＤＭＲＳの１つ又は複数を含むリソース構成情報を送信する第２トランシーバと、
第２プロセッサとを含む、ネットワーク機器。
【請求項１５】
１周期内に構成されたリソース上でネットワーク機器へのデータ伝送を開始する第１送信モジュールと、
前記端末が前記周期の境界を跨いでデータ伝送を行う必要がある場合、ＲＶ値又はリソース又はＤＭＲＳを現在の値から他の値に変更する調整モジュールとを含む、端末。
【請求項１６】
端末に対して、少なくとも、リソース割り当ての周期、繰り返し伝送回数、冗長バージョンＲＶ系列、前記周期内での前記繰り返し伝送回数に等しい第１数のリソース位置、前記端末による周期を跨ぐ伝送が前記ネットワーク機器に許容されるか否か、周期の境界を跨いだ後の別のＲＶ系列、周期の境界を跨いだ後の別の復調基準信号ＤＭＲＳの１つ又は複数を含むリソース構成情報を送信する第２送信モジュールを含む、ネットワーク機器。
【請求項１７】
プロセッサと、メモリと、前記メモリに格納されて前記プロセッサで実行可能なプログラムとを含む端末であって、
前記プログラムが前記プロセッサによって実行されると、請求項１〜１１のいずれか１項に記載のデータ伝送方法のステップが実現される、端末。
【請求項１８】
プロセッサと、メモリと、前記メモリに格納されて前記プロセッサで実行可能なプログラムとを含むネットワーク機器であって、
前記プログラムが前記プロセッサによって実行されると、請求項１２に記載のデータ伝送方法のステップが実現される、ネットワーク機器。
【請求項１９】
コンピュータプログラムが格納されているコンピュータ読み取り可能な記憶媒体であって、
前記コンピュータプログラムがプロセッサによって実行されると、請求項１〜１１のいずれか１項に記載のデータ伝送方法のステップが実現され、又は、請求項１２に記載のデータ伝送方法のステップが実現される、コンピュータ読み取り可能な記憶媒体。
【発明の詳細な説明】
【技術分野】
【０００１】
（関連出願の相互参照）
本願は、２０１８年０９月２８日に中国に提出された中国特許出願２０１８１１１４３４３５．６の優先権、２０１８年１０月１８日に中国に提出された中国特許出願２０１８１１２１６０１９．４の優先権、及び２０１８年１１月２日に中国に提出された中国特許出願２０１８１１３０２７３０．１の優先権を主張し、それらの全ての内容が援用によりここに取り込まれる。
本開示の実施例は、通信技術分野に係り、特にデータ伝送方法及び機器に係る。
【背景技術】
【０００２】
移動通信のサービスニーズの発展及び変化に伴い、第３世代パートナーシッププロジェクト３ＧＰＰ（３ｒｄ  Ｇｅｎｅｒａｔｉｏｎ  Ｐａｒｔｎｅｒｓｈｉｐ  Ｐｒｏｊｅｃｔ）などの複数の団体は、将来の移動通信システムについて新しい無線通信システム（即ち第５世代新しい無線アクセス技術５Ｇ  ＮＲ（５  Ｇｅｎｅｒａｔｉｏｎ  Ｎｅｗ  ＲＡＴ））の研究を開始している。５Ｇ  ＮＲシステムにおいて、重要なニーズの１つは、低遅延、高信頼性の通信であり、超高信頼性と低遅延の通信ＵＲＬＬＣ（Ｕｌｔｒａ  Ｒｅｌｉａｂｌｅ  ＆Ｌｏｗ  Ｌａｔｅｎｃｙ  Ｃｏｍｍｕｎｉｃａｔｉｏｎ）などの伝送方式が登場している。単純な低遅延のニーズ又は単純な高信頼性のニーズは、いずれも容易に実現できるが、低遅延のニーズと高信頼性のニーズを同時に満足することは、その実現が難しく、通常、高い複雑性を対価に実現される。
【０００３】
ＵＲＬＬＣサービスの場合、ＮＲ規格では、上りスケジューリングフリー方式をサポートすることでエアーインタフェースの伝送遅延を減少させると共に、繰り返し伝送方式もサポートすることで信頼性を向上させる。
【０００４】
遅延問題は、発生した後にそれを補うことができず、信頼性の問題は、遅延範囲内の再送などの方式で補うことができるため、低遅延要件を満たすことを前提として、高信頼性と低複雑性を折衷する柔軟な方式を提供する必要がある。なお、ここでいう低遅延は、伝送時間間隔ＴＴＩ（Ｔｒａｎｓｍｉｓｓｉｏｎ  Ｔｉｍｅ  Ｉｎｔｅｒｖａｌ）毎に端末による物理上り共有チャネルＰＵＳＣＨ（Ｐｈｙｓｉｃａｌ  Ｕｐｌｉｎｋ  Ｓｈａｒｅｄ  Ｃｈａｎｎｅｌ）の送信が許容されるように定義され、ここの高信頼性は、設定された繰り返し伝送回数に達するように定義される。
【０００５】
ＵＲＬＬＣサービスの場合、ＮＲ方式では、低遅延要件を保証する前提条件で、高信頼性と低複雑性を柔軟に折衷できることを実現できないという問題を解決する必要がある。
【発明の概要】
【発明が解決しようとする課題】
【０００６】
本開示の実施例の１つの目的は、ＮＲ方式では、低遅延要件を保証する前提条件で、高信頼性と低複雑性を柔軟に折衷できることを実現できないという問題を解決するために、データ伝送方法及び機器を提供することにある。
【課題を解決するための手段】
【０００７】
本開示の一部実施例の第１態様によれば、端末に応用されるデータ伝送方法を提供する。前記方法において、１周期内に構成されたリソース上でネットワーク機器へのデータ伝送を開始することと、前記端末が前記周期の境界を跨いでデータ伝送を行う必要がある場合、ＲＶ値又はリソース又はＤＭＲＳを現在の値から他の値に変更することとを含む。
【０００８】
任意選択で、前記方法において、ネットワーク機器によって構成されたリソース構成情報を受信することを更に含む。前記リソース構成情報は、少なくとも、リソース割り当ての周期、繰り返し伝送回数Ｋ、１つのＲＶ系列、前記周期内のＫ個の伝送機会のリソース位置、前記端末による周期を跨ぐ伝送が前記ネットワーク機器に許容されるか否か、周期を跨ぐ伝送が許容される伝送機会の数、前記周期内で初回の繰り返し伝送が許容される伝送機会、周期の境界を跨いだ後の別のＲＶ系列、周期の境界を跨いだ後の別の復調基準信号ＤＭＲＳの１つ又は複数を含む。
【０００９】
任意選択で、前記ネットワーク機器によって構成されたリソース構成情報を受信した後に、前記方法において、前記リソース構成情報に基づいて、前記周期の境界、前記Ｋ個の伝送機会の位置、及び伝送機会毎の繰り返し伝送のＲＶ値の１つ又は複数を決定することを更に含む。
【００１０】
任意選択で、前記ネットワーク機器によって構成されたリソース構成情報を受信した後に、前記方法において、前記周期内のいずれかの伝送機会に初回の繰り返し伝送を行い、前記周期内に伝送機会があり、且つ、繰り返し伝送の総回数が前記Ｋ未満である場合、前記伝送機会に次の繰り返し伝送を行うことを更に含む。
【００１１】
任意選択で前記周期内のいずれかのリソース位置に初回の繰り返し伝送を行うことは、前記周期内で最も早い伝送機会を選択して初回の繰り返し伝送を行うことを含む。前記初回の繰り返し伝送のＲＶ値は、前記ＲＶ系列の第１値である０に等しい。
【００１２】
任意選択で、前記方法において、前記端末が繰り返し伝送を行う度に、前記繰り返し伝送が前記周期の境界を跨ぐか否かを判断することと、前記周期の境界を跨がず、且つ繰り返し伝送の総回数が繰り返し伝送回数Ｋ未満である場合、前記ＲＶ系列におけるＲＶ値により前記繰り返し伝送を継続し、それに続き、前記繰り返し伝送後の繰り返し伝送が前記周期の境界を跨ぐか否かを判断することとを更に含む。
【００１３】
任意選択で、前記方法において、前記端末が繰り返し伝送を行う度に、前記繰り返し伝送が前記周期の境界を跨ぐか否かを判断することと、前記周期の境界を跨ぎ、且つ前記端末による周期を跨ぐ伝送が前記ネットワーク機器に許容されない場合、繰り返し伝送を終了することとを更に含む。
【００１４】
任意選択で、前記方法において、前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしないこと、又は、前記端末による周期を跨ぐ伝送が前記ネットワーク機器に許容される場合、前記周期を跨ぐ伝送の繰り返し伝送のうち、周期の境界を跨いだ後の別のＲＶ系列によりＲＶ値をとることを更に含む。
【００１５】
任意選択で、前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしないことは、前記端末が繰り返し伝送を行う度に、前記繰り返し伝送が前記周期の境界を跨ぐか否かを判断することと、前記周期の境界を跨ぎ、且つ前記端末による周期を跨ぐ伝送が前記ネットワーク機器に許容される場合、前記ＲＶ系列におけるＲＶ値が０であるかを判断することと、前記ＲＶ系列におけるＲＶ値が０ではなく、且つ繰り返し伝送の総回数が繰り返し伝送回数Ｋ未満である場合、前記ＲＶ系列におけるＲＶ値により前記繰り返し伝送を継続し、それに続き、前記繰り返し伝送後の繰り返し伝送が前記周期の境界を跨ぐか否かを判断することとを更に含む。
【００１６】
任意選択で、前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしないことは、前記端末が繰り返し伝送を行う度に、前記繰り返し伝送が前記周期の境界を跨ぐか否かを判断することと、前記周期の境界を跨ぎ、且つ前記端末による周期を跨ぐ伝送が前記ネットワーク機器に許容される場合、前記ＲＶ系列におけるＲＶ値が０であるかを判断することと、前記ＲＶ系列におけるＲＶ値が０であり、且つ繰り返し伝送の総回数が繰り返し伝送回数Ｋ未満である場合、他のＲＶ値により前記繰り返し伝送を継続し、それに続き、前記繰り返し伝送後の繰り返し伝送が前記周期の境界を跨ぐか否かを判断することとを更に含む。
【００１７】
任意選択で、前記端末による周期を跨ぐ伝送が前記ネットワーク機器に許容される場合、前記周期を跨ぐ伝送の繰り返し伝送のうち、周期の境界を跨いだ後の別の復調基準信号ＤＭＲＳにより、復調基準信号ＤＭＲＳの値をとる。前記別のＤＭＲＳは、別のアンテナポートａｎｔｅｎｎａ  ｐｏｒｔであり、又は前記ＤＭＲＳの別の構成パラメータであり、又は前記ＤＭＲＳの生成における別のパラメータである。
【００１８】
本開示の一部実施例の第２態様によれば、ネットワーク機器に応用されるデータ伝送方法を提供する。前記方法において、端末に対して、少なくとも、リソース割り当ての周期、繰り返し伝送回数、冗長バージョンＲＶ系列、前記周期内での前記繰り返し伝送回数に等しい第１数のリソース位置、前記端末による周期を跨ぐ伝送が前記ネットワーク機器に許容されるか否か、周期の境界を跨いだ後の別のＲＶ系列、周期の境界を跨いだ後の別の復調基準信号ＤＭＲＳの１つ又は複数を含むリソース構成情報を送信することを含む。
【００１９】
本開示の一部実施例の第３態様によれば、端末を提供する。端末は、１周期内に構成されたリソース上でネットワーク機器へのデータ伝送を開始する第１トランシーバと、前記端末が前記周期の境界を跨いでデータ伝送を行う必要がある場合、ＲＶ値又はリソース又はＤＭＲＳを現在の値から他の値に変更する第１プロセッサとを含む。
【００２０】
本開示の一部実施例の第４態様によれば、ネットワーク機器を提供する。ネットワーク機器は、端末に対して、少なくとも、リソース割り当ての周期、繰り返し伝送回数、冗長バージョンＲＶ系列、前記周期内での前記繰り返し伝送回数に等しい第１数のリソース位置、前記端末による周期を跨ぐ伝送が前記ネットワーク機器に許容されるか否か、周期の境界を跨いだ後の別のＲＶ系列、周期の境界を跨いだ後の別の復調基準信号ＤＭＲＳの１つ又は複数を含むリソース構成情報を送信する第２トランシーバと、第２プロセッサとを含む。
【００２１】
本開示の一部実施例の第５態様によれば、端末を提供する。前記端末は、１周期内に構成されたリソース上でネットワーク機器へのデータ伝送を開始する第１送信モジュールと、前記端末が前記周期の境界を跨いでデータ伝送を行う必要がある場合、ＲＶ値又はリソース又はＤＭＲＳを現在の値から他の値に変更する調整モジュールとを含む。
【００２２】
本開示の一部実施例の第６態様によれば、ネットワーク機器を提供する。前記ネットワーク機器は、端末に対して、少なくとも、リソース割り当ての周期、繰り返し伝送回数、冗長バージョンＲＶ系列、前記周期内での前記繰り返し伝送回数に等しい第１数のリソース位置、前記端末による周期を跨ぐ伝送が前記ネットワーク機器に許容されるか否か、周期の境界を跨いだ後の別のＲＶ系列、周期の境界を跨いだ後の別の復調基準信号ＤＭＲＳの１つ又は複数を含むリソース構成情報を送信する第２送信モジュールを含む。
【００２３】
本開示の一部実施例の第７態様によれば、プロセッサと、メモリと、前記メモリに格納されて前記プロセッサで実行可能なプログラムとを含む端末を提供し、前記プログラムが前記プロセッサによって実行されると、第１態様に記載のデータ伝送方法のステップが実現される。
【００２４】
本開示の一部実施例の第８態様によれば、プロセッサと、メモリと、前記メモリに格納されて前記プロセッサで実行可能なプログラムとを含むネットワーク機器を提供し、前記プログラムが前記プロセッサによって実行されると、第２態様に記載のデータ伝送方法のステップが実現される。
【００２５】
本開示の一部実施例の第９態様によれば、コンピュータプログラムが格納されているコンピュータ読み取り可能な記憶媒体を提供し、前記コンピュータプログラムがプロセッサによって実行されると、第１態様に記載のデータ伝送方法のステップが実現され、又は、第２態様に記載のデータ伝送方法のステップが実現される。
【発明の効果】
【００２６】
本開示の一部実施例において、低遅延要件を満たす前提で、高信頼性と低複雑性を折衷することが実現できる。
【００２７】
以下の任意選択の実施形態に関する詳細な記載を読むことによって、様々な他の利点やメリットは、当業者にとって明らかになる。図面は、単に任意選択の実施形態を示すという目的のみに使用されるものであり、本開示に対する限定と見なされない。しかも、図面を通して、同一の参照記号で同じ構成要素を示す。
【図面の簡単な説明】
【００２８】
【図１】関連するデータ伝送方法の応用場面の模式図である。
【図２】本開示の一部実施例に係る無線通信システムのアーキテクチャの模式図である。
【図３】本開示の一部実施例に係るデータ伝送方法のフローチャートその１である。
【図４】本開示の一部実施例に係るデータ伝送方法のフローチャートその２である。
【図５】本開示の一部実施例に係るデータ伝送方法のフローチャートその３である。
【図６】本開示の一部実施例に係るデータ伝送方法の応用場面の模式図その１である。
【図７】本開示の一部実施例に係るデータ伝送方法の応用場面の模式図その２である。
【図８】本開示の一部実施例に係るデータ伝送方法の応用場面の模式図その３である。
【図９】本開示の一部実施例に係るデータ伝送方法の応用場面の模式図その４である。
【図１０】本開示の一部実施例に係るデータ伝送方法の応用場面の模式図その５である。
【図１１】本開示の一部実施例に係るデータ伝送方法の応用場面の模式図その６である。
【図１２】本開示の一部実施例に係るデータ伝送方法の応用場面の模式図その７である。
【図１３】本開示の一部実施例に係るデータ伝送方法の応用場面の模式図その８である。
【図１４】本開示の一部実施例に係るデータ伝送方法の応用場面の模式図その９である。
【図１５】本開示の一部実施例に係るデータ伝送方法の応用場面の模式図その１０である。
【図１６】本開示の一部実施例に係るデータ伝送方法の応用場面の模式図その１１である。
【図１７】本開示の一部実施例に係るデータ伝送方法の応用場面の模式図その１２である。
【図１８】本開示の一部実施例に係るデータ伝送方法の応用場面の模式図その１３である。
【図１９】本開示の一部実施例に係るデータ伝送方法の応用場面の模式図その１４である。
【図２０】本開示の一部実施例に係るデータ伝送方法の応用場面の模式図その１５である。
【図２１】本開示の一部実施例に係るデータ伝送方法の応用場面の模式図その１６である。
【図２２】本開示の一部実施例に係るデータ伝送方法の応用場面の模式図その１７である。
【図２３】本開示の一部実施例に係るデータ伝送方法の応用場面の模式図その１８である。
【図２４】本開示の一部実施例に係るデータ伝送方法の応用場面の模式図その１９である。
【図２５】本開示の一部実施例に係る端末の構造図その１である。
【図２６】本開示の一部実施例に係るネットワーク機器の構造図その１である。
【図２７】本開示の一部実施例に係る端末の構造図その２である。
【図２８】本開示の一部実施例に係るネットワーク機器の構造図その２である。
【図２９】本開示の一部実施例に係る端末の構造図その３である。
【図３０】本開示の一部実施例に係るネットワーク機器の構造図その３である。
【発明を実施するための形態】
【００２９】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００３０】
本願の明細書及び特許請求の範囲における「含む」及びそのあらゆる変形は、非排他的に含むことを意味する。例えば、一連のステップ又はユニットを含むプロセス、方法、システム、製品又は機器は、明確に列挙されているステップ又はユニットに限定されず、明確に列挙されていないものや、これらのプロセス、方法、製品又は機器に固有の他のステップ又はユニットを含んでもよい。また、明細書及び請求項に使用される「及び／又は」は、連結対象のうちの少なくとも１つを示す。例えばＡ及び／又はＢは、Ａのみ、Ｂのみ、及び、ＡとＢの両方の３種類のケースを示す。
【００３１】
本開示の実施例において、「例示的」又は「例えば」などの用語は、例、例証又は説明を示すことに用いられる。本開示の実施例において、「例示的」又は「例えば」で記載されるあらゆる実施例や設計手段は、ほかの実施例や設計手段より好適であり又は優位に立つというふうに解釈されてはならない。適切に言えば、「例示的」又は「例えば」などの用語は、具体的な方式で関連概念を示すという目的で使用される。
【００３２】
図１及び表１を参照すると、ＮＲ  ＵＲＬＬＣ方式では、基地局（ｇＮＢ）は、まず、シグナリングを用いてＰＵＳＣＨの伝送を構成する。構成情報は、リソース割り当ての周期Ｐ、繰り返し回数Ｋ、冗長バージョンＲＶ（Ｒｅｄｕｎｄａｎｃｙ  Ｖｅｒｓｉｏｎ）系列、周期Ｐ内の繰り返し回数Ｋ個のリソースの位置などを含む。繰り返し回数Ｋ個のリソース位置は、繰り返し回数Ｋ個の伝送機会ＴＯ（Ｔｒａｎｓｍｉｓｓｉｏｎ  Ｏｐｐｏｒｔｕｎｉｔｙ）となる。
【００３３】
ここで、表１は、ＵＲＬＬＣ上りスケジューリングフリー伝送方式での異なる繰り返し回数Ｋの構成、異なるＲＶ構成に対応する伝送方式である。
【００３４】
【表１】
2022501941.tif 000003
【００３５】
現在の規格によれば、無線リソース制御ＲＲＣ（Ｒａｄｉｏ  Ｒｅｓｏｕｒｃｅ  Ｃｏｎｔｒｏｌ）によって構成する。例えば、Ｐ＝４、Ｋ＝４、ＲＶ＝｛０  ０  ０  ０｝、時間領域リソース位置は、｛開始直交周波数分割多重ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボル、ＯＦＤＭシンボル数｝である。この時間領域リソース位置は、１回の繰り返し伝送を完了するための１つの送信機会ＴＯとして定義される。Ｋ＝４は、４回の繰り返し伝送を行うために、４つのＴＯを必要とすることを意味する。データが最初のＴＯの前に到着すると、最初のＴＯを使用して伝送が行われる。この場合に４回の伝送が行われ、ＲＶは、｛０  ０  ０  ０｝である。データが最初のＴＯの後、２番目のＴＯの前に到着すると、２番目のＴＯを使用して伝送が行われる。この場合に３回の伝送が行われ、ＲＶは、｛０  ０  ０｝である。データが２番目のＴＯの後、３番目のＴＯの前に到着すると、３番目のＴＯを使用して伝送が行われる。この場合に２回の伝送が行われ、ＲＶは、｛０  ０｝である。データが３番目のＴＯの後、４番目のＴＯの前に到着すると、４番目のＴＯを使用して伝送が行われるこの場合に１回の伝送が行われ、ＲＶは、｛０｝である。それぞれ図１のケース１、ケース２、ケース３、ケース４に対応する。
【００３６】
現在の規格によれば、ＲＲＣによって構成する。例えば、Ｐ＝４、Ｋ＝４、ＲＶ＝｛０  ３  ０  ３｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝４は、４回の繰り返し伝送を行うために、４つのＴＯを必要とすることを意味する。データが最初のＴＯの前に到着すると、最初のＴＯを使用して伝送が行われる。この場合に４回の伝送が行われ、ＲＶは、｛０  ３  ０  ３｝である。データが最初のＴＯの後、３番目のＴＯの前に到着すると、３番目のＴＯを使用して伝送が行われる。この場合に２回の伝送が行われ、ＲＶは、｛０  ３｝である。データが３番目のＴＯ後に到着すると、その周期では伝送が行われず、次の周期まで伝送を延期する。それぞれ図１のケース５、ケース６に対応する。
【００３７】
現在の規格によれば、ＲＲＣによって構成する。例えば、Ｐ＝４、Ｋ＝４、ＲＶ＝｛０  ２  ３  １｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝４は、４回の繰り返し伝送を行うために、４つのＴＯを必要とすることを意味する。データが最初のＴＯの前に到着すると、最初のＴＯを使用して伝送が行われる。この場合に４回の伝送が行われ、ＲＶは、｛０  ２  ３  １｝である。データが最初のＴＯの後に到着すると、その周期では伝送が行われず、次の周期まで伝送を延期する。図１中のケース７に対応する。
【００３８】
現在のＮＲ  ＵＲＬＬＣ方式では、ＲＶ＝｛０  ０  ０  ０｝に限って、遅延性能の保証が可能であり、即ち、ＴＴＩ毎に端末によるＰＵＳＣＨ送信が許容されることを満たす。ＲＶ＝｛０  ３  ０  ３｝の場合、遅延性能の保証ができない。例えばデータがＴＯ  ０の後、ＴＯ  １の前に到着した場合、端末は、ＴＯ  １からＰＵＳＣＨの伝送を開始できず、規格の定義に従い、ＴＯ  ２からＰＵＳＣＨの伝送を開始しなければならない。ＲＶ＝｛０  ２  ３  １｝の場合、遅延性能の保証ができない。例えばデータがＴＯ  ０後に到着した場合、端末は、次の周期からＰＵＳＣＨの伝送を開始するしかできない。
【００３９】
現在のＮＲ  ＵＲＬＬＣ方式では、ＲＶ＝｛０  ０  ０  ０｝及びＲＶ＝｛０  ３  ０  ３｝の場合、構成された繰り返し伝送回数に達することができないため、信頼性の保証ができない。ＲＶ＝｛０  ２  ３  １｝の場合、構成された繰り返し伝送回数に達することができるため、信頼性の保証ができる。
【００４０】
従って、現在のＮＲ  ＵＲＬＬＣ方式では、低遅延要件を保証する前提条件下で、高信頼性と低複雑性を柔軟に折衷できることが実現できない。
【００４１】
以下、本開示の一部実施例について図面を参照して紹介する。本開示の一部実施例に係るデータ伝送方法及び機器は、無線通信システムに応用可能である。該無線通信システムは、５Ｇシステムを採用するか、進化型ロングタームエボリューションｅＬＴＥ（Ｅｖｏｌｖｅｄ  Ｌｏｎｇ  Ｔｅｒｍ  Ｅｖｏｌｕｔｉｏｎ）システム、又はその後の進化型通信システムである。
【００４２】
図２は、本開示の一部実施例に係る無線通信システムのアーキテクチャの模式図である。図２に示すように、該無線通信システムは、ネットワーク機器２０と端末を含む。例えば、端末は、ＵＥ２１と表記し、ネットワーク機器２０と通信（シグナリング又はデータの伝送）可能である。実際の応用では、上記の各機器間の接続は、無線接続であってもよいが、各機器間の接続関係を直観的に示しやすくするために、図２では実線で示している。
【００４３】
なお、上記通信システムは、複数のＵＥ２１を含んでもよく、ネットワーク機器２０は、複数のＵＥ２１と通信可能である。
【００４４】
本開示の一部実施例に係るネットワーク機器２０は、基地局である。該基地局は、通常使用される基地局であってもよいし、進化型基地局ｅＮＢ（ｅｖｏｌｖｅｄ  ｎｏｄｅ  ｂａｓｅ  ｓｔａｔｉｏｎ）であってもよく、更に５Ｇシステムにおけるネットワーク機器（例えば次世代基地局ｇＮＢ（ｎｅｘｔ  ｇｅｎｅｒａｔｉｏｎ  ｎｏｄｅ  ｂａｓｅ  ｓｔａｔｉｏｎ）又は送受信ポイントＴＲＰ（ｔｒａｎｓｍｉｓｓｉｏｎ  ａｎｄ  ｒｅｃｅｐｔｉｏｎ  ｐｏｉｎｔ））などの機器であってもよい。
【００４５】
本開示の一部実施例に係る端末は、携帯電話、タブレットパソコン、ノートパソコン、ウルトラモバイルパソコンＵＭＰＣ（Ｕｌｔｒａ−Ｍｏｂｉｌｅ  Ｐｅｒｓｏｎａｌ  Ｃｏｍｐｕｔｅｒ）、ネットブック又は個人用デジタル補助装置ＰＤＡ（Ｐｅｒｓｏｎａｌ  Ｄｉｇｉｔａｌ  Ａｓｓｉｓｔａｎｔ）などである。
【００４６】
図３を参照し、本開示の一部実施例は、データ伝送方法を提供する。該方法は、実行主体が端末であり、具体的には、１周期内に構成されたリソース上でネットワーク機器へのデータ伝送を開始するステップ３０１と、前記端末が前記周期の境界を跨いでデータ伝送を行う必要がある場合、ＲＶ値又はリソース又はＤＭＲＳを現在の値から他の値に変更するステップ３０２とを含む。
【００４７】
例えば、上記現在の値は、０であり、他の値は、１、２又は３である。即ち、前記端末が前記周期の境界を跨いでデータ伝送を行う必要がある場合、ＲＶ値を０から、１、２又は３に変更する。
【００４８】
任意選択で、本開示の一部実施例において、方法は、ネットワーク機器によって構成されたリソース構成情報を受信することを更に含む。本開示の一部実施例において、リソース構成情報は、少なくとも、リソース割り当ての周期Ｐ、繰り返し伝送回数Ｋ、１つのＲＶ系列、周期Ｐ内のＫ個の伝送機会ＴＯのリソース位置、端末による周期を跨ぐ伝送がネットワーク機器に許容されるか否か、周期を跨ぐ伝送が許容される伝送機会の数、前記周期内で初回の繰り返し伝送が許容される伝送機会、周期の境界を跨いだ後の別のＲＶ系列、周期の境界を跨いだ後の別の復調基準信号ＤＭＲＳの１つ又は複数を含む。
【００４９】
例えば、Ｐ≧Ｋ、Ｋ＝｛２，４，８｝、ＲＶ系列は、｛０  ０  ０  ０｝、｛０  ３  ０  ３｝又は｛０  ２  ３  １｝をとる。Ｋ＝２の場合、ＲＶ系列における最初の２つの値のみをとり、Ｋ＝８の場合、ＲＶ系列の値をとり、且つ後半の４つの値は、最初の４つの値と同じである。
【００５０】
本開示の一部実施例において、任意選択で、ネットワーク機器によって構成されたリソース構成情報を受信した後に、前記方法は、前記リソース構成情報に基づいて、前記周期の境界、前記繰り返し伝送回数Ｋ個の伝送機会の位置、及び伝送機会毎の繰り返し伝送のＲＶ値の１つ又は複数を決定することを更に含む。
【００５１】
本開示の一部実施例において、任意選択で、ネットワーク機器によって構成されたリソース構成情報を受信した後に、前記方法は、前記周期内のいずれかの伝送機会に初回の繰り返し伝送を行い、前記周期内に伝送機会があり、且つ、繰り返し伝送の総回数が前記繰り返し伝送回数Ｋ未満である場合、前記伝送機会に次の繰り返し伝送を行うことを更に含む。更に、繰り返し伝送の総回数が繰り返し伝送回数Ｋに達すると、繰り返し伝送を終了する。
【００５２】
任意選択で、いずれかの伝送機会は、周期内で初回の繰り返し伝送が許容される伝送機会である。
【００５３】
本開示の一部実施例において、任意選択で、前記の前記周期内のいずれかの伝送機会に初回の繰り返し伝送を行うことは、前記周期内で最も早い伝送機会を選択して初回の繰り返し伝送を行うことを含む。前記初回の繰り返し伝送のＲＶ値は、前記ＲＶ系列の第１値である０に等しい。
【００５４】
本開示の一部実施例において、任意選択で、前記方法は、前記端末が繰り返し伝送を行う度に、前記繰り返し伝送が前記周期の境界を跨ぐか否かを判断することと、前記周期の境界を跨がず、且つ繰り返し伝送の総回数が繰り返し伝送回数Ｋ未満である場合、前記ＲＶ系列におけるＲＶ値により前記繰り返し伝送を継続し、それに続き、前記繰り返し伝送後の繰り返し伝送が前記周期の境界を跨ぐか否かを判断することとを更に含む。
【００５５】
本開示の一部実施例において、任意選択で、前記方法は、前記端末が繰り返し伝送を行う度に、前記繰り返し伝送が前記周期の境界を跨ぐか否かを判断することと、前記周期の境界を跨ぎ、且つ前記端末による周期を跨ぐ伝送が前記ネットワーク機器に許容されない場合、繰り返し伝送を終了することとを更に含む。
【００５６】
本開示の一部実施例において、任意選択で、前記方法は、前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしないことを含む。例えば、上記他のＲＶ値は、１、２又は３である。又は、前記端末による周期を跨ぐ伝送が前記ネットワーク機器に許容される場合、前記周期を跨ぐ伝送の繰り返し伝送のうち、周期の境界を跨いだ後の別のＲＶ系列によりＲＶ値をとる。
【００５７】
本開示の一部実施例において、任意選択で、前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしないことは、前記端末が繰り返し伝送を行う度に、前記繰り返し伝送が前記周期の境界を跨ぐか否かを判断することと、前記周期の境界を跨ぎ、且つ前記端末による周期を跨ぐ伝送が前記ネットワーク機器に許容される場合、前記ＲＶ系列におけるＲＶ値が０であるかを判断することと、前記ＲＶ系列におけるＲＶ値が０ではなく、且つ繰り返し伝送の総回数が繰り返し伝送回数Ｋ未満である場合、前記ＲＶ系列におけるＲＶ値により前記繰り返し伝送を継続し、それに続き、前記繰り返し伝送後の繰り返し伝送が前記周期の境界を跨ぐか否かを判断することとを更に含む。
【００５８】
本開示の一部実施例において、任意選択で、前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしないことは、前記端末が繰り返し伝送を行う度に、前記繰り返し伝送が前記周期の境界を跨ぐか否かを判断することと、前記周期の境界を跨ぎ、且つ前記端末による周期を跨ぐ伝送が前記ネットワーク機器に許容される場合、前記ＲＶ系列におけるＲＶ値が０であるかを判断することと、前記ＲＶ系列におけるＲＶ値が０であり、且つ繰り返し伝送の総回数が繰り返し伝送回数Ｋ未満である場合、他のＲＶ値により前記繰り返し伝送を継続し、それに続き、前記繰り返し伝送後の繰り返し伝送が前記周期の境界を跨ぐか否かを判断することとを更に含む。
【００５９】
本開示の一部実施例において、任意選択で、前記方法は、前記端末による周期を跨ぐ伝送が前記ネットワーク機器に許容される場合、前記周期を跨ぐ伝送の繰り返し伝送のうち、周期の境界を跨いだ後の別の復調基準信号ＤＭＲＳにより、復調基準信号ＤＭＲＳの値をとることを更に含む。前記別のＤＭＲＳは、別のアンテナポートａｎｔｅｎｎａ  ｐｏｒｔであり、又は前記ＤＭＲＳの別の構成パラメータであり、又は前記ＤＭＲＳの生成における別のパラメータである。
【００６０】
本開示の一部実施例において、端末は、ネットワーク機器によって構成されたリソースで通信を行い、低遅延要件を満たす前提で、高信頼性と低複雑性を折衷することを実現する。
【００６１】
図４を参照し、本開示の一部実施例は、別のデータ伝送方法を提供する。該方法は、実行主体がネットワーク機器であり、具体的には、リソース構成情報を端末に送信するステップ４０１を含む。本開示の一部実施例において、リソース構成情報は、少なくとも、リソース割り当ての周期Ｐ、繰り返し伝送回数Ｋ、１つのＲＶ系列、周期Ｐ内でのＫ個の伝送機会ＴＯのリソース位置、端末による周期を跨ぐ伝送がネットワーク機器に許容されるか否か、周期を跨ぐ伝送が許容される伝送機会の数、前記周期内での初回の繰り返し伝送が許容される伝送機会、周期の境界を跨いだ後の別のＲＶ系列、周期の境界を跨いだ後の別の復調基準信号ＤＭＲＳの１つ又は複数を含む。ここで、繰り返し伝送回数Ｋは、最大の繰り返し伝送回数に相当する。
【００６２】
例えば、Ｐ≧Ｋ、Ｋ＝｛２，４，８｝、ＲＶ系列は、｛０  ０  ０  ０｝、｛０  ３  ０  ３｝又は｛０  ２  ３  １｝をとる。Ｋ＝２の場合、ＲＶ系列における最初の２つの値のみをとり、Ｋ＝８の場合、ＲＶ系列における値をとり、且つ後半の４つの値は、最初の４つの値と同じである。
【００６３】
本開示の一部実施例において、端末は、ネットワーク機器によって構成されたリソースで通信を行い、低遅延要件を満たす前提で、高信頼性と低複雑性を折衷することを実現する。
【００６４】
図５を参照し、本開示の一部実施例は、データ伝送方法を提供する。該方法は、実行主体が端末であり、具体的に、ネットワーク機器によって構成されたリソース構成情報を受信するステップ５０１を含む。本開示の一部実施例において、リソース構成情報は、少なくとも、リソース割り当ての周期Ｐ、繰り返し伝送回数Ｋ、１つのＲＶ系列、周期Ｐ内でのＫ個の伝送機会ＴＯのリソース位置、端末による周期を跨ぐ伝送がネットワーク機器に許容されるか否か、周期を跨ぐ伝送が許容される伝送機会の数、前記周期内での初回の繰り返し伝送が許容される伝送機会、周期の境界を跨いだ後の別のＲＶ系列、周期の境界を跨いだ後の別の復調基準信号ＤＭＲＳの１つ又は複数を含む。
【００６５】
例えば、Ｐ≧Ｋ、Ｋ＝｛２，４，８｝、ＲＶ系列は、｛０  ０  ０  ０｝、｛０  ３  ０  ３｝又は｛０  ２  ３  １｝をとる。Ｋ＝２の場合、ＲＶ系列における最初の２つの値のみをとり、Ｋ＝８の場合、ＲＶ系列における値をとり、且つ後半の４つの値は、最初の４つの値と同じである。
【００６６】
ステップ５０２において、端末は、リソース構成情報に基づいて、関連情報を決定する。本開示の一部実施例において、端末は、前記リソース構成情報に基づいて、周期の境界、Ｋ個の伝送機会ＴＯの位置、及び伝送機会ＴＯ毎の繰り返し伝送のＲＶ値の１つ又は複数を決定する。
【００６７】
ステップ５０３において、端末は、初回の繰り返し伝送を行う。本開示の一部実施例において、端末は、周期内のいずれかの伝送機会を選択して初回の繰り返し伝送を行う。任意選択で、最も早いＴＯ（又は最初のＴＯと呼ぶ）に初回の繰り返し伝送を行う。初回の繰り返し伝送のＲＶ値は、ＲＶ系列における第１値であり、該第１値は、０である。
【００６８】
更に、前記周期内に伝送機会があり、且つ、繰り返し伝送の総回数が前記Ｋ未満である場合、前記伝送機会に次の繰り返し伝送を行う。
【００６９】
ステップ５０４において、Ｋ回の繰り返し伝送に達したかを判断し、Ｋ回の繰り返し伝送に達した場合、繰り返し伝送を終了するが、Ｋ回の繰り返し伝送に達しない場合、ステップ５０５へ進む。本開示の一部実施例において、Ｋ回の繰り返し伝送に達しないことは、周期内に伝送機会があることを意味し、該伝送機会に繰り返し伝送を行う。
【００７０】
ステップ５０５において、端末は、繰り返し伝送が周期の境界を跨ぐか否かを判断し、そうである場合、ステップ５０７を実行するが、そうでなければ、ステップ５０６を実行する。本開示の一部実施例において、端末は、次の繰り返し伝送を行う前に、該繰り返し伝送が周期の境界を跨ぐか否かを判断する。
【００７１】
ステップ５０６において、端末は、繰り返し伝送を行い、ステップ５０４を再度実行する。本開示の一部実施例において、ＲＶ系列におけるＲＶ値により繰り返し伝送を行い、その後、次の繰り返し伝送を行う際に、Ｋ回の繰り返し伝送に達したかを判断する。
【００７２】
ステップ５０７において、端末は、端末による周期を跨ぐ伝送がネットワーク機器に許容されるかを判断し、そうである場合、ステップ５０８を実行するが、そうでなければ、繰り返し伝送を終了する。本開示の一部実施例において、繰り返し伝送が周期の境界を跨ぎ、且つ端末による周期を跨ぐ伝送がネットワーク機器に許容されない場合、その繰り返し伝送を終了する。
【００７３】
ステップ５０８において、端末は、ＲＶ系列で現在の繰り返し伝送のＲＶ値が０であるかを判断し、そうである場合、他のＲＶ値（例えば１、２又は３）により繰り返し伝送を行い、その後、ステップ５０６を再度実行するが、そうでなければ、ステップ５０６を再度実行する。
【００７４】
本開示の一部実施例において、繰り返し伝送が周期の境界を跨ぎ、且つ端末による周期を跨ぐ伝送がネットワーク機器に許容され、且つＲＶ値が０ではない場合、ＲＶ系列におけるＲＶ値により繰り返し伝送を行い、次の繰り返し伝送を行う際に、周期の境界を跨ぐかを判断する。繰り返し伝送が周期の境界を跨ぎ、且つ端末による周期を跨ぐ伝送がネットワーク機器に許容され、且つＲＶ値が０である場合、ＲＶ＝１、２又は３により繰り返し伝送を行い、次の繰り返し伝送を行う際に、周期の境界を跨ぐかを判断する。
【００７５】
本開示の一部実施例において、端末は、ネットワーク機器によって構成されたリソースで通信を行い、低遅延要件を満たす前提で、高信頼性と低複雑性を折衷することを実現する。
【００７６】
以下、具体例１〜例１９を参照して本開示の一部実施例に係る方法を記載する。
【００７７】
例１：
図６を参照し、現在の規格によれば、ＲＲＣによって構成する。例えば、Ｐ＝２、Ｋ＝２、ＲＶ＝｛０  ０  ０  ０｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝２は、２回の繰り返し伝送を行うために、２つのＴＯを必要とすることを意味する。データが最初のＴＯの前に到着すると、図６のケース１のように、最初のＴＯと２番目のＴＯとを使用して２回の伝送が行われる。データが２番目のＴ０の前に到着すると、２番目のＴ０を使用して初回の繰り返し伝送が行われる。端末による周期の境界を跨ぐ伝送が基地局に許容されない場合、又は、単に繰り返し伝送のＲＶ値が０から３に変更された後の周期の境界を跨ぐ伝送が基地局に許容されない場合、繰り返し伝送を終了し、即ち、図６のケース２のように、計１回の繰り返し伝送が行われる。
【００７８】
例２：
図７を参照し、現在の規格によれば、ＲＲＣによって構成する。例えば、Ｐ＝４、Ｋ＝４、ＲＶ＝｛０  ０  ０  ０｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝４は、４回の繰り返し伝送を行うために、４つのＴＯを必要とすることを意味する。データが最初のＴＯの前に到着すると、図７のケース１のように、最初のＴＯから４番目のＴＯまでを使用して４回の伝送が行われる。データが２番目のＴＯの前に到着すると、２番目のＴＯを使用して初回の繰返し伝送が行われる。端末による周期の境界を跨ぐ伝送が基地局に許容され、しかも、繰り返し伝送のＲＶ値が０から３に変更された後の周期の境界を跨ぐ伝送が基地局に許容される場合、図７のケース２のように、４回の繰り返し伝送を完了してから繰り返し伝送を終了する。ここで、周期の境界後の繰り返し伝送のＲＶは、ＲＶ＝０からＲＶ＝３に変更される。データが３番目のＴＯの前に到着すると、３番目のＴＯを使用して初回の繰返し伝送が行われる。端末による周期の境界を跨ぐ伝送が基地局に許容され、しかも、繰り返し伝送のＲＶ値が０から３に変更された後の周期の境界を跨ぐ伝送が基地局に許容される場合、図７のケース３のように、４回の繰り返し伝送を完了してから繰り返し伝送を終了する。ここで、周期の境界後の繰り返し伝送のＲＶは、ＲＶ＝０からＲＶ＝３に変更される。データが４番目のＴＯの前に到着すると、４番目のＴＯを使用して初回の繰返し伝送が行われる。端末による周期の境界を跨ぐ伝送が基地局に許容され、しかも、繰り返し伝送のＲＶ値が０から３に変更された後の周期の境界を跨ぐ伝送が基地局に許容される場合、図７のケース４のように、４回の繰り返し伝送を完了してから繰り返し伝送を終了する。ここで、周期の境界後の繰り返し伝送のＲＶは、ＲＶ＝０からＲＶ＝３に変更される。
【００７９】
例３：
図８を参照し、現在の規格によれば、ＲＲＣによって構成する。例えば、Ｐ＝８、Ｋ＝８、ＲＶ＝｛０  ０  ０  ０｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝８は、８回の繰り返し伝送を行うために、８つのＴＯを必要とすることを意味する。データが最初のＴＯの前に到着すると、図８のケース１のように、最初のＴＯから８番目のＴＯまでを使用して８回の伝送が行われる。データが２番目のＴＯの前に到着すると、２番目のＴＯを使用して初回の繰返し伝送が行われる。端末による周期の境界を跨ぐ伝送が基地局に許容されず、又は、単に繰り返し伝送のＲＶ値が０から３に変更された後の周期の境界を跨ぐ伝送が基地局に許容されない場合、図８のケース２のように、７回の繰り返し伝送を完了してから繰り返し伝送を終了する。このように類推する。データが８番目のＴＯの前に到着すると、８番目のＴＯを使用して初回の繰返し伝送が行われる。端末による周期の境界を跨ぐ伝送が基地局に許容されず、又は、単に繰り返し伝送のＲＶ値が０から３に変更された後の周期の境界を跨ぐ伝送が基地局に許容されない場合、図８のケース８のように、１回の繰り返し伝送を完了してから繰り返し伝送を終了する。
【００８０】
例４：
図９を参照し、現在の規格によれば、ＲＲＣによって構成する。例えば、Ｐ＝２、Ｋ＝２、ＲＶ＝｛０  ３  ０  ３｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝２は、２回の繰り返し伝送を行うために、２つのＴＯを必要とすることを意味する。データが最初のＴＯの前に到着すると、図９のケース１のように、最初のＴＯから２番目のＴＯまでを使用して２回の伝送が行われる。データが２番目のＴＯの前に到着すると、２番目のＴＯを使用して初回の繰返し伝送が行われる。端末による周期の境界を跨ぐ伝送が基地局に許容される場合、図９のケース２のように、２回の繰り返し伝送を完了してから繰り返し伝送を終了する。
【００８１】
例５：
図１０を参照し、現在の規格によれば、ＲＲＣによって構成する。例えば、Ｐ＝４、Ｋ＝４、ＲＶ＝｛０  ３  ０  ３｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝４は、４回の繰り返し伝送を行うために、４つのＴＯを必要とすることを意味する。データが最初のＴＯの前に到着すると、図１０のケース１のように、最初のＴＯから４番目のＴＯまでを使用して４回の伝送が行われる。データが２番目のＴＯの前に到着すると、２番目のＴＯを使用して初回の繰返し伝送が行われる。端末による周期の境界を跨ぐ伝送が基地局に許容される場合、図１０のケース２のように、４回の繰り返し伝送を完了してから繰り返し伝送を終了する。データが３番目のＴＯの前に到着すると、３番目のＴＯを使用して初回の繰返し伝送が行われる。端末による周期の境界を跨ぐ伝送が基地局に許容されるが、繰り返し伝送のＲＶ値が０から３に変更された後の周期の境界を跨ぐ伝送が許容されない場合、図１０のケース３のように、２回の繰り返し伝送を完了してから繰り返し伝送を終了する。データが４番目のＴＯの前に到着すると、４番目のＴＯを使用して初回の繰返し伝送が行われる。端末による周期の境界を跨ぐ伝送が基地局に許容されるが、繰り返し伝送のＲＶ値が０から３に変更された後の周期の境界を跨ぐ伝送が許容されない場合、図１０のケース４のように、２回の繰り返し伝送を完了してから繰り返し伝送を終了する。
【００８２】
例６：
図１１を参照し、現在の規格によれば、ＲＲＣによって構成する。例えば、Ｐ＝４、Ｋ＝４、ＲＶ＝｛０  ３  ０  ３｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝４は、４回の繰り返し伝送を行うために、４つのＴＯを必要とすることを意味する。データが最初のＴＯの前に到着すると、図１１のケース１のように、最初のＴＯから４番目のＴＯまでを使用して４回の伝送が行われる。データが２番目のＴＯの前に到着すると、２番目のＴＯを使用して初回の繰返し伝送が行われる。端末による周期の境界を跨ぐ伝送が基地局に許容される場合、図１１のケース２のように、４回の繰り返し伝送を完了してから繰り返し伝送を終了する。データが３番目のＴＯの前に到着すると、３番目のＴＯを使用して初回の繰返し伝送が行われる。端末による周期の境界を跨ぐ伝送が基地局に許容され、しかも、繰り返し伝送のＲＶ値が０から３に変更された後の周期の境界を跨ぐ伝送が許容される場合、図１１のケース３のように、４回の繰り返し伝送を完了してから繰り返し伝送を終了する。ここで、周期の境界後の繰り返し伝送のＲＶは、ＲＶ＝０からＲＶ＝３に変更される。データが４番目のＴＯの前に到着すると、４番目のＴＯを使用して初回の繰返し伝送が行われる。端末による周期の境界を跨ぐ伝送が基地局に許容され、しかも、繰り返し伝送のＲＶ値が０から３に変更された後の周期の境界を跨ぐ伝送が許容される場合、図１１のケース４のように、４回の繰り返し伝送を完了してから繰り返し伝送を終了する。ここで、周期の境界後の繰り返し伝送のＲＶは、ＲＶ＝０からＲＶ＝３に変更される。
【００８３】
例７：
図１２を参照し、現在の規格によれば、ＲＲＣによって構成する。例えば、Ｐ＝８、Ｋ＝８、ＲＶ＝｛０  ３  ０  ３｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝８は、８回の繰り返し伝送を行うために、８つのＴＯを必要とすることを意味する。データが最初のＴＯの前に到着すると、図１２のケース１のように、最初のＴＯから４番目のＴＯまでを使用して８回の伝送が行われる。データが２番目のＴＯの前に到着すると、２番目のＴＯを使用して初回の繰返し伝送が行われる。端末による周期の境界を跨ぐ伝送が基地局に許容される場合、図１２のケース２のように、８回の繰り返し伝送を完了してから繰り返し伝送を終了する。データが３番目のＴＯの前に到着すると、３番目のＴＯを使用して初回の繰返し伝送が行われる。端末による周期の境界を跨ぐ伝送が基地局に許容されるが、繰り返し伝送のＲＶ値が０から３に変更された後の周期の境界を跨ぐ伝送が許容されない場合、図１２のケース３のように、６回の繰り返し伝送を完了してから繰り返し伝送を終了する。このように類推する。データが８番目のＴＯの前に到着すると、８番目のＴＯを使用して初回の繰返し伝送が行われる。端末による周期の境界を跨ぐ伝送が基地局に許容されるが、繰り返し伝送のＲＶ値が０から３に変更された後の周期の境界を跨ぐ伝送が許容されない場合、図１２のケース８のように、２回の繰り返し伝送を完了してから繰り返し伝送を終了する。
【００８４】
例８：
図１３を参照し、現在の規格によれば、ＲＲＣによって構成する。例えば、Ｐ＝８、Ｋ＝８、ＲＶ＝｛０  ３  ０  ３｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝８は、８回の繰り返し伝送を行うために、８つのＴＯを必要とすることを意味する。データが最初のＴＯの前に到着すると、図１２のケース１のように、最初のＴＯから８番目のＴＯまでを使用して８回の伝送が行われる。データが２番目のＴＯの前に到着すると、２番目のＴＯを使用して初回の繰返し伝送が行われる。端末による周期の境界を跨ぐ伝送が基地局に許容される場合、図１３のケース２のように、８回の繰り返し伝送を完了してから繰り返し伝送を終了する。データが３番目のＴＯの前に到着すると、３番目のＴＯを使用して初回の繰返し伝送が行われる。端末による周期の境界を跨ぐ伝送が基地局に許容され、しかも繰り返し伝送のＲＶ値が０から３に変更された後の周期の境界を跨ぐ伝送が許容される場合、図１３のケース３のように、８回の繰り返し伝送を完了してから繰り返し伝送を終了する。このように類推する。データが８番目のＴＯの前に到着すると、８番目のＴＯを使用して初回の繰返し伝送が行われる。端末による周期の境界を跨ぐ伝送が基地局に許容され、しかも繰り返し伝送のＲＶ値が０から３に変更された後の周期の境界を跨ぐ伝送が許容される場合、図１３のケース８のように、８回の繰り返し伝送を完了してから繰り返し伝送を終了する。
【００８５】
例９：
図１４を参照し、現在の規格によれば、ＲＲＣによって構成する。例えば、Ｐ＝２、Ｋ＝２、ＲＶ＝｛０  ２  ３  １｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝２は、２回の繰り返し伝送を行うために、２つのＴＯを必要とすることを意味する。データが最初のＴＯの前に到着すると、図１４のケース１のように、最初のＴＯから２番目のＴＯまでを使用して２回の伝送が行われる。データが２番目のＴＯの前に到着すると、２番目のＴＯを使用して初回の繰返し伝送が行われる。端末による周期の境界を跨ぐ伝送が基地局に許容される場合、図１４のケース２のように、２回の繰り返し伝送を完了してから繰り返し伝送を終了する。
【００８６】
例１０：
図１５を参照し、現在の規格によれば、ＲＲＣによって構成する。例えば、Ｐ＝４、Ｋ＝４、ＲＶ＝｛０  ２  ３  １｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝４は、４回の繰り返し伝送を行うために、４つのＴＯを必要とすることを意味する。データが最初のＴＯの前に到着すると、図１５のケース１のように、最初のＴＯから４番目のＴＯまでを使用して４回の伝送が行われる。データが２番目のＴＯの前に到着すると、２番目のＴＯを使用して初回の繰返し伝送が行われる。端末による周期の境界を跨ぐ伝送が基地局に許容される場合、図１５のケース２のように、４回の繰り返し伝送を完了してから繰り返し伝送を終了する。データが３番目のＴＯの前に到着すると、３番目のＴＯを使用して初回の繰返し伝送が行われる。端末による周期の境界を跨ぐ伝送が基地局に許容される場合、図１５のケース３のように、４回の繰り返し伝送を完了してから繰り返し伝送を終了する。データが４番目のＴＯの前に到着すると、４番目のＴＯを使用して初回の繰返し伝送が行われる。端末による周期の境界を跨ぐ伝送が基地局に許容される場合、図１５のケース４のように、４回の繰り返し伝送を完了してから繰り返し伝送を終了する。
【００８７】
例１１：
図１６を参照し、現在の規格によれば、ＲＲＣによって構成する。例えば、Ｐ＝８、Ｋ＝８、ＲＶ＝｛０  ２  ３  １｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝８は、８回の繰り返し伝送を行うために、８つのＴＯを必要とすることを意味する。データが最初のＴＯの前に到着すると、図１６のケース１のように、最初のＴＯから８番目のＴＯまでを使用して８回の伝送が行われる。データが２番目のＴＯの前に到着すると、２番目のＴＯを使用して初回の繰返し伝送が行われる。端末による周期の境界を跨ぐ伝送が基地局に許容される場合、図１６のケース２のように、８回の繰り返し伝送を完了してから繰り返し伝送を終了する。このように類推する。データが５番目のＴＯの前に到着すると、５番目のＴＯを使用して初回の繰返し伝送が行われる。端末による周期の境界を跨ぐ伝送が基地局に許容され、しかも繰り返し伝送のＲＶ値が０から３に変更された後の周期の境界を跨ぐ伝送が基地局に許容される場合、図１６のケース５のように、８回の繰り返し伝送を完了してから繰り返し伝送を終了する。このように類推する。データが８番目のＴＯの前に到着すると、８番目のＴＯを使用して初回の繰返し伝送が行われる。端末による周期の境界を跨ぐ伝送が基地局に許容され、しかも繰り返し伝送のＲＶ値が０から３に変更された後の周期の境界を跨ぐ伝送が基地局に許容される場合、図１６のケース８のように、８回の繰り返し伝送を完了してから繰り返し伝送を終了する。
【００８８】
例１２：
図１７を参照し、現在の規格によれば、ＲＲＣによって構成する。例えば、Ｐ＝４、Ｋ＝４、ＲＶ＝｛０  ２  ３  １｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝４は、４回の繰り返し伝送を行うために、４つのＴＯを必要とすることを意味する。周期内で、初回の繰り返し伝送が許容される伝送機会が最初のＴＯと３番目のＴＯであり、２番目のＴＯと４番目のＴＯに初回の繰り返し伝送が許容されないと構成する。データが最初のＴＯの前に到着すると、図１７のケース１のように、最初のＴＯから４番目のＴＯまでを使用して４回の伝送が行われる。データが３番目のＴＯの前に到着すると、３番目のＴＯを使用して初回の繰返し伝送が行われる。端末による周期の境界を跨ぐ伝送が基地局に許容される場合、図１７のケース３のように、４回の繰り返し伝送を完了してから繰り返し伝送を終了する。
【００８９】
例１３：
規格では、多種類のモードを同時に標準化することができる。例えば、モード１として、基地局受信機の実現の低複雑性を達成することができると共に、高信頼性（できるだけＫ回の繰り返し伝送を保証する）と低遅延（できるだけ伝送機会毎に伝送を行うことを保証する）を折衷する。異なるＲＶ系列を構成することで、このような折衷を実現する。モード２として、高信頼性を実現すると共に、基地局受信機の実現の低複雑性と低遅延を折衷する。異なる数の上りスケジューリングフリー構成を構成することによって、このような折衷を実現する。モード３として、低遅延を実現すると共に、基地局受信機の実現の低複雑性と高信頼性を折衷する。異なる数の周期を跨ぐ伝送機会を構成することによって、このような折衷を実現する。基地局は、端末がどの種類のモードを使用して上りデータの繰り返し伝送を行うべきかを、ＲＲＣシグナリング又は下り制御情報ＤＣＩ（Ｄｏｗｎｌｉｎｋ  Ｃｏｎｔｒｏｌ  Ｉｎｆｏｒｍａｔｉｏｎ）で端末に通知する。
【００９０】
本開示で言及される繰り返し回数Ｋ、周期ＰとＫとの間の関係、ＲＶ系列の長さ、ＲＶ＝０からＲＶ＝１又はＲＶ＝２又はＲＶ＝３への変更などは、すべて柔軟に構成されてもよく、実施例における値に従って設定しなければならないことを必要としない。
【００９１】
例１４：
基地局は、ＲＲＣシグナリングにより、１周期内のＲＶ系列Ａと、周期の境界を跨いだ後の繰り返し伝送の冗長バージョンＲＶ系列Ｂを端末に構成する。ＲＶ系列Ｂは、系列における順序に従って、ＲＶ系列Ａの対応する位置の値と異なる値をとる。
【００９２】
現在の規格によれば、ＲＲＣによって構成する。例えば、Ｐ＝２、Ｋ＝２、ＲＶ＝｛０  ０  ０  ０｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝２は、２回の繰り返し伝送を行うために、２つのＴＯを必要とすることを意味する。データが最初のＴＯの前に到着すると、図１８のケース１のように、最初のＴＯと２番目のＴＯを使用して２回の伝送が行われる。データが２番目のＴＯの前に到着すると、２番目のＴＯを使用して初回の繰返し伝送が行われるとともに、周期を跨いだ後の最初のＴＯを使用して２回目の繰り返し伝送が行われ、同時にＲＶ＝０がＲＶ＝３に変更されてから繰り返し伝送を終了する。ここの変更されたＲＶ＝３は、基地局の構成に依存するが、ＲＶ＝２又はＲＶ＝１に変更されてもよい。
【００９３】
本例では、ＲＶ系列Ａは、｛０  ０｝であり、ＲＶ系列Ｂは、｛３｝である。
【００９４】
例１５：
基地局は、ＲＲＣシグナリングにより、１周期内のＲＶ系列Ａと、周期の境界を跨いだ後の繰り返し伝送の冗長バージョンＲＶ系列Ｂを端末に構成する。ＲＶ系列Ｂは、系列における順序に従って、ＲＶ系列Ａの対応する位置の値と異なる値をとる。
【００９５】
現在の規格によれば、ＲＲＣによって構成する。例えば、Ｐ＝４、Ｋ＝４、ＲＶ＝｛０  ０  ０  ０｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝４は、４回の繰り返し伝送を行うために、４つのＴＯを必要とすることを意味する。
【００９６】
データが最初のＴＯの前に到着すると、図１９のケース１のように、最初のＴＯから４番目のＴＯまでを使用して４回の伝送が行われる。データが２番目のＴＯの前に到着すると、図１９のケース２のように、２番目のＴＯを使用して初回の繰返し伝送が行われ、３番目、４番目のＴＯを使用してそれぞれ２回目、３回目の繰り返し伝送が行われ、その後、周期を跨いで、周期を跨いだ後の最初のＴＯを使用して４回目の繰り返し伝送が行われ、同時にＲＶ＝０がＲＶ＝３に変更される。データが３番目のＴＯの前に到着すると、図１９のケース３のように、３番目のＴＯを使用して初回の繰返し伝送が行われ、４番目のＴＯを使用して２回目の繰り返し伝送が行われ、その後、周期を跨いで、周期を跨いだ後の最初のＴＯと２番目のＴＯを使用してそれぞれ３回目、４回目の繰り返し伝送が行われ、同時にＲＶ＝０をＲＶ＝３に変更される。データが４番目のＴＯの前に到着すると、図１９のケース４のように、４番目のＴＯを使用して初回の繰返し伝送が行われ、その後、周期を跨いで、周期を跨いだ後の最初のＴＯ、２番目のＴＯ、３番目のＴＯを使用してそれぞれ２回目、３回目、４回目の繰り返し伝送が行われ、同時にＲＶ＝０をＲＶ＝３に変更される。
【００９７】
ここで、各ＴＯにおけるＲＶ＝３への変更は、基地局の構成に依存するが、ＲＶ＝２又はＲＶ＝１に変更されてもよい。
【００９８】
本例では、ＲＶ系列Ａは、｛０  ０  ０  ０｝であり、ＲＶ系列Ｂは、｛３  ３  ３｝である。
【００９９】
例１６：
基地局は、ＲＲＣシグナリングにより、１周期内のＲＶ系列Ａと、周期の境界を跨いだ後の繰り返し伝送の冗長バージョンＲＶ系列Ｂを端末に構成する。ＲＶ系列Ｂは、系列における順序に従って、ＲＶ系列Ａの対応する位置の値と異なる値をとる。
【０１００】
現在の規格によれば、ＲＲＣによって構成する。例えば、Ｐ＝８、Ｋ＝８、ＲＶ＝｛０  ０  ０  ０｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝８は、８回の繰り返し伝送を行うために、８つのＴＯを必要とすることを意味する。
【０１０１】
データが最初のＴＯの前に到着すると、図２０のケース１のように、最初のＴＯから８番目のＴＯまでを使用して８回の伝送が行われる。データが２番目のＴＯの前に到着すると、図２０のケース２のように、２番目のＴＯを使用して初回の繰返し伝送が行われ、３番目から８番目のＴＯまでをそれぞれ使用して２回目から７回目までの繰り返し伝送が行われ、その後、周期を跨いで、周期を跨いだ後の最初のＴＯを使用して８回目の繰り返し伝送が行われ、同時にＲＶ＝０がＲＶ＝３に変更される。このように類推する。データが７番目のＴＯの前に到着すると、図２０のケース７のように、７番目のＴＯを使用して初回の繰返し伝送が行われ、８番目のＴＯを使用して２回目の繰り返し伝送が行われ、その後、周期を跨いで、周期を跨いだ後の最初のＴＯから６番目のＴＯまでを使用して３回目から８回目までの繰り返し伝送が行われ、同時にＲＶ＝０をＲＶ＝３に変更される。
【０１０２】
ここで、各ＴＯにおけるＲＶ＝３への変更は、基地局の構成に依存するが、ＲＶ＝２又はＲＶ＝１に変更されてもよい。
【０１０３】
本例では、ＲＶ系列Ａは、｛０  ０  ０  ０  ０  ０  ０  ０｝であり、ＲＶ系列Ｂは、｛３  ３  ３  ３  ３  ３  ３｝である。
【０１０４】
例１７：
基地局は、ＲＲＣシグナリングにより、１周期内のＲＶ系列Ａと、周期の境界を跨いだ後の繰り返し伝送の冗長バージョンＲＶ系列Ｂを端末に構成する。ＲＶ系列Ｂは、系列における順序に従って、ＲＶ系列Ａの対応する位置の値と異なる値をとる。
【０１０５】
現在の規格によれば、ＲＲＣによって構成する。例えば、Ｐ＝４、Ｋ＝４、ＲＶ＝｛０  ３  ０  ３｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝４は、４回の繰り返し伝送を行うために、４つのＴＯを必要とすることを意味する。
【０１０６】
データが最初のＴＯの前に到着すると、図２１のケース１のように、最初のＴＯから４番目のＴＯまでを使用して４回の伝送が行われる。データが３番目のＴＯの前に到着すると、図２１のケース２のように、３番目のＴＯを使用して初回の繰返し伝送が行われ、４番目のＴＯを使用して２回目の繰り返し伝送が行われ、その後、周期を跨いで、周期を跨いだ後の最初のＴＯを使用して３回目の繰り返し伝送が行われ、同時にＲＶ＝０がＲＶ＝３に変更され、周期を跨いだ後の２番目のＴＯを使用して４回目の繰り返し伝送が行われ、同時にＲＶ＝３がＲＶ＝０に変更される。
【０１０７】
ここで、各ＴＯにおけるＲＶの変更は、基地局の構成に依存するが、他のＲＶ値に変更されてもよい。
【０１０８】
本例では、ＲＶ系列Ａは、｛０  ３  ０  ３｝であり、ＲＶ系列Ｂは、｛３  ０｝である。
【０１０９】
例１８：
基地局は、ＲＲＣシグナリングにより、１周期内のＲＶ系列Ａと、周期の境界を跨いだ後の繰り返し伝送の冗長バージョンＲＶ系列Ｂを端末に構成する。ＲＶ系列Ｂは、系列における順序に従って、ＲＶ系列Ａの対応する位置の値と異なる値をとる。
【０１１０】
現在の規格によれば、ＲＲＣによって構成する。例えば、Ｐ＝８、Ｋ＝８、ＲＶ＝｛０  ３  ０  ３｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝８は、８回の繰り返し伝送を行うために、８つのＴＯを必要とすることを意味する。
【０１１１】
データが最初のＴＯの前に到着すると、図２２のケース１のように、最初のＴＯから８番目のＴＯまでを使用して８回の伝送が行われる。データが３番目のＴＯの前に到着すると、図２２のケース２のように、３番目のＴＯから８番目のＴＯまでを使用して前から６回の繰返し伝送が行われ、その後、周期を跨いで、周期を跨いだ後の最初のＴＯと２番目のＴＯを使用してその後の２回の繰り返し伝送が行われ、同時にＲＶ＝０がＲＶ＝３に変更され、ＲＶ＝３がＲＶ＝０に変更される。データが５番目のＴＯの前に到着すると、図２２のケース３のように、５番目のＴＯから８番目のＴＯまでを使用して前から４回の繰返し伝送が行われ、その後、周期を跨いで、周期を跨いだ後の最初のＴＯと４番目のＴＯまでを使用してその後の４回の繰り返し伝送が行われ、同時にＲＶ＝０がＲＶ＝３に変更され、ＲＶ＝３がＲＶ＝０に変更される。データが７番目のＴＯの前に到着すると、図２２のケース２のように、７番目のＴＯから８番目のＴＯまでを使用して前から２回の繰返し伝送が行われ、その後、周期を跨いで、周期を跨いだ後の最初のＴＯから６番目のＴＯまでを使用してその後の６回の繰り返し伝送が行われ、同時にＲＶ＝０がＲＶ＝３に変更され、ＲＶ＝３がＲＶ＝０に変更される。
【０１１２】
ここで、各ＴＯにおけるＲＶの変更は、基地局の構成に依存するが、他のＲＶ値に変更されてもよい。
【０１１３】
本例では、ＲＶ系列Ａは、｛０  ３  ０  ３  ０  ３  ０  ３｝であり、ＲＶ系列Ｂは、｛３  ０  ３  ０  ３  ０｝である。
【０１１４】
例１９：
基地局は、ＲＲＣシグナリングにより、１周期内のＲＶ系列Ａと、周期の境界を跨いだ後の繰り返し伝送の冗長バージョンＲＶ系列Ｂを端末に構成する。ＲＶ系列Ｂは、系列における順序に従って、ＲＶ系列Ａの対応する位置の値と異なる値をとる。
【０１１５】
現在の規格によれば、ＲＲＣによって構成する。例えば、Ｐ＝４、Ｋ＝４、ＲＶ＝｛０  ２  ３  １｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝４は、４回の繰り返し伝送を行うために、４つのＴＯを必要とすることを意味する。データが最初のＴＯの前に到着すると、図２３のケース１のように、最初のＴＯから４番目のＴＯまでを使用して４回の伝送が行われる。４番目のＴＯが何らかの原因で端末に使用されない場合、図２３のケース２のように、周期を跨いで、周期を跨いだ後の最初のＴＯを使用して４回目の繰り返し伝送が行われ、必要に応じてＲＶ値が変更される。
【０１１６】
本例では、ＲＶ系列Ａは、｛０  ２  ３  １｝であり、ＲＶ系列Ｂは、｛１｝である。
【０１１７】
別の例では、本開示の一部実施例は、図２４に示すように、データ伝送方法を更に提供する。
【０１１８】
該方法をネットワーク機器側からみると、ネットワーク機器は、ＲＲＣシグナリング又はＤＣＩシグナリングによって、リソース構成情報を端末に送信する。前記リソース構成情報は、１つの伝送ブロックＴＢを伝送するＫ個の繰り返し伝送を制御するために用いられる。前記リソース構成情報は、少なくとも第１リソースと第２リソースを含む。前記第１リソースは、現在の周期の終了境界前の第１リソース位置に位置し、前記第２リソースは、現在の周期の終了境界後の第２リソース位置に位置する。
【０１１９】
該方法を端末側からみると、端末は、１周期内に構成された第１リソース上でネットワーク機器へのデータ伝送を開始する。端末によるＫ回の繰り返し伝送が現在の周期の終了境界前に完了していない場合、残りの繰り返し伝送は、現在の周期の終了境界を跨いでデータ伝送を行う必要がある。この場合、リソースを第１リソースから第２リソースに変更する必要がある。
【０１２０】
図には、ｆ１は、第１リソースを示し、ｆ２は、第２リソースを示す。現在の規格によれば、ＲＲＣによって構成する。例えば、Ｐ＝４、Ｋ＝４、ＲＶ＝｛０  ０  ０  ０｝、時間領域リソース位置は、｛開始ＯＦＤＭシンボル、ＯＦＤＭシンボル数｝である。この時間領域リソース位置は、１回の繰り返し伝送を完了するための１つの伝送機会ＴＯとして定義される。Ｋ＝４は、４回の繰り返し伝送を行うために、４つのＴＯを必要とすることを意味する。周波数領域リソース位置は、ｆ１とｆ２である。第１リソースｆ１は、現在の周期の終了境界前の繰り返し伝送に使用され、第２リソースｆ２は、現在の周期の終了境界後の繰り返し伝送に使用される。データが２番目のＴＯの前に到着すると、図２４−１のケース２のように、現在の周期の終了境界前の２番目のＴＯから４番目のＴＯまでを使用して前から３回の繰り返し伝送が行われ、現在の周期の終了境界後の最初のＴＯを使用して最後の繰り返し伝送が行われる。周期を跨いだ場合、前から３回の繰り返し伝送は、第１リソースを使用し、最後の繰り返し伝送は、第２リソースを使用する。
【０１２１】
別の例では、本開示の一部実施例は、データ伝送方法を更に提供する。
【０１２２】
該方法をネットワーク機器側からみると、ネットワーク機器は、ＲＲＣシグナリング又はＤＣＩシグナリングによって、ＤＭＲＳ構成情報を端末に送信する。前記ＤＭＲＳ構成情報は、１つの伝送ブロックＴＢを伝送するＫ個の繰り返し伝送をサポートするために用いられる。前記ＤＭＲＳ構成情報は、少なくとも第１ＤＭＲＳと第２ＤＭＲＳを含む。前記第１ＤＭＲＳは、現在の周期の終了境界前の繰り返し伝送をサポートするＤＭＲＳであり、前記第２ＤＭＲＳは、現在の周期の終了境界後の繰り返し伝送をサポートするＤＭＲＳである。前記第２ＤＭＲＳは、別のアンテナポートａｎｔｅｎｎａ  ｐｏｒｔであり、又は前記ＤＭＲＳの別の構成パラメータであり、又は前記ＤＭＲＳの生成における別のパラメータである。
【０１２３】
該方法を端末側からみると、端末は、１周期内にネットワーク機器へのデータ伝送を開始する。端末によるＫ回の繰り返し伝送が現在の周期の終了境界前に完了していない場合、残りの繰り返し伝送は、現在の周期の終了境界を跨いでデータ伝送を行う必要がある。この場合、ＤＭＲＳを第１ＤＭＲＳから第２ＤＭＲＳに変更する必要がある。
【０１２４】
図２５を参照し、本開示の一部実施例は、端末２５００を提供する。該端末２５００は、１周期内に構成されたリソース上でネットワーク機器へのデータ伝送を開始する第１トランシーバ２５０１と、前記端末が前記周期の境界を跨いでデータ伝送を行う必要がある場合、ＲＶ値又はリソース又はＤＭＲＳを現在の値から他の値に変更する第１プロセッサ２５０２とを含む。
【０１２５】
ここで、前記第１トランシーバ２５０１は、更に、ネットワーク機器によって構成されたリソース構成情報を受信する。前記リソース構成情報は、少なくとも、リソース割り当ての周期、繰り返し伝送回数Ｋ、１つの冗長バージョンＲＶ系列、前記周期内のＫ個の伝送機会のリソース位置、前記端末による周期を跨ぐ伝送が前記ネットワーク機器に許容されるか否か、周期を跨ぐ伝送が許容される伝送機会の数、前記周期内での初回の繰り返し伝送が許容される伝送機会、周期の境界を跨いだ後の別のＲＶ系列、周期の境界を跨いだ後の別の復調基準信号ＤＭＲＳの１つ又は複数を含む。
【０１２６】
本開示の一部実施例において、任意選択で、前記第１プロセッサ２５０２は、更に、前記リソース構成情報に基づいて、前記周期の境界、前記Ｋ個の伝送機会の位置、及び伝送機会毎の繰り返し伝送のＲＶ値の１つ又は複数を決定する。
【０１２７】
任意選択で、前記第１トランシーバ２５０１は、更に、前記周期内のいずれかの伝送機会に初回の繰り返し伝送を行い、前記周期内に伝送機会があり、且つ、繰り返し伝送の総回数が前記Ｋ未満である場合、前記伝送機会に繰り返し伝送を行う。
【０１２８】
本開示の一部実施例において、任意選択で、前記第１プロセッサ２５０２は、更に、前記周期内で最も早い伝送機会を選択して初回の繰り返し伝送を行う。前記初回の繰り返し伝送のＲＶ値は、前記ＲＶ系列の第１値である０に等しい。
【０１２９】
本開示の一部実施例において、任意選択で、前記第１プロセッサ２５０２は、更に、前記端末が繰り返し伝送を行う度に、前記繰り返し伝送が前記周期の境界を跨ぐか否かを判断し、前記周期の境界を跨がず、且つ繰り返し伝送の総回数が繰り返し伝送回数Ｋ未満である場合、前記ＲＶ系列におけるＲＶ値により前記繰り返し伝送を継続し、それに続き、前記繰り返し伝送後の繰り返し伝送が前記周期の境界を跨ぐか否かを判断する。
【０１３０】
本開示の一部実施例において、任意選択で、前記第１プロセッサ２５０２は、更に、前記端末が繰り返し伝送を行う度に、前記繰り返し伝送が前記周期の境界を跨ぐか否かを判断し、前記周期の境界を跨ぎ、且つ前記端末による周期を跨ぐ伝送が前記ネットワーク機器に許容されない場合、繰り返し伝送を終了する。
【０１３１】
本開示の一部実施例において、任意選択で、前記第１プロセッサ２５０２は、更に、前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしない。又は、前記端末による周期を跨ぐ伝送が前記ネットワーク機器に許容される場合、前記周期を跨ぐ伝送の繰り返し伝送のうち、周期の境界を跨いだ後の別のＲＶ系列によりＲＶ値をとる。
【０１３２】
本開示の一部実施例において、任意選択で、前記第１プロセッサ２５０２は、更に、前記端末が繰り返し伝送を行う度に、前記繰り返し伝送が前記周期の境界を跨ぐか否かを判断し、前記周期の境界を跨ぎ、且つ前記端末による周期を跨ぐ伝送が前記ネットワーク機器に許容される場合、前記ＲＶ系列におけるＲＶ値が０であるかを判断し、前記ＲＶ系列におけるＲＶ値が０ではなく、且つ繰り返し伝送の総回数が繰り返し伝送回数Ｋ未満である場合、前記ＲＶ系列におけるＲＶ値により前記繰り返し伝送を継続し、それに続き、前記繰り返し伝送後の繰り返し伝送が前記周期の境界を跨ぐか否かを判断する。
【０１３３】
本開示の一部実施例において、任意選択で、前記第１プロセッサ２５０２は、更に、前記端末が繰り返し伝送を行う度に、前記繰り返し伝送が前記周期の境界を跨ぐか否かを判断し、前記周期の境界を跨ぎ、且つ前記端末による周期を跨ぐ伝送が前記ネットワーク機器に許容される場合、前記ＲＶ系列におけるＲＶ値が０であるかを判断し、前記ＲＶ系列におけるＲＶ値が０であり、且つ繰り返し伝送の総回数が繰り返し伝送回数Ｋ未満である場合、他のＲＶ値により前記繰り返し伝送を継続し、それに続き、前記繰り返し伝送後の繰り返し伝送が前記周期の境界を跨ぐか否かを判断する。
【０１３４】
本開示の一部実施例において、任意選択で、前記第１プロセッサ２５０２は、更に、前記端末による周期を跨ぐ伝送が前記ネットワーク機器に許容される場合、前記周期を跨ぐ伝送の繰り返し伝送のうち、周期の境界を跨いだ後の別の復調基準信号ＤＭＲＳにより、復調基準信号ＤＭＲＳの値をとる。前記別のＤＭＲＳは、別のアンテナポートａｎｔｅｎｎａ  ｐｏｒｔであり、又は前記ＤＭＲＳの別の構成パラメータであり、又は前記ＤＭＲＳの生成における別のパラメータである。
【０１３５】
本開示の一部実施例において、端末は、ネットワーク機器によって構成されたリソースで通信を行い、低遅延要件を満たす前提で、高信頼性と低複雑性を折衷することを実現する。
【０１３６】
図２６を参照し、本開示の一部実施例は、ネットワーク機器２６００を提供する。該ネットワーク機器２６００は、端末に対して、少なくとも、リソース割り当ての周期、繰り返し伝送回数、冗長バージョンＲＶ系列、前記周期内での前記繰り返し伝送回数に等しい第１数のリソース位置、前記端末による周期を跨ぐ伝送が前記ネットワーク機器に許容されるか否か、周期の境界を跨いだ後の別のＲＶ系列、周期の境界を跨いだ後の別の復調基準信号ＤＭＲＳの１つ又は複数を含むリソース構成情報を送信する第２トランシーバ２６０１と、第２プロセッサ２６０２とを含む。
【０１３７】
本開示の一部実施例において、端末は、ネットワーク機器によって構成されたリソースで通信を行い、低遅延要件を満たす前提で、高信頼性と低複雑性を折衷することを実現する。
【０１３８】
図２７を参照し、本開示の一部実施例は、別の端末２７００を提供する。該端末２７００は、少なくとも１つのプロセッサ２７０１と、メモリ２７０２と、ユーザインタフェース２７０３と、少なくとも１つのネットワークインタフェース２７０４とを含む。端末２７００における各構成部品は、バスシステム２７０５を介して結合される。
【０１３９】
なお、バスシステム２７０５は、これらの構成部品の間の接続と通信に用いられることが理解できる。バスシステム２７０５は、データバスのほかに、電源バス、制御バス及び状態信号バスを更に含む。ただし、明確に説明するために、図２７において、各種類のバスをすべてバスシステム２７０５として表記している。
【０１４０】
ここで、ユーザインタフェース２７０３は、ディスプレイ、キーボード又はポインティングデバイス（例えばマウス、トラックボール、タッチパネル又はタッチスクリーンなどを含む。
【０１４１】
本開示の実施例におけるメモリ２７０２は、揮発性メモリ又は非揮発性メモリであり、又は、揮発性メモリと非揮発性メモリの両方を含む。非揮発性メモリは、ＲＯＭ（Ｒｅａｄ−Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｒａｓａｂｌｅ  ＰＲＯＭ）、ＥＥＰＲＯＭ（Ｅｌｅｃｔｒｉｃａｌｌｙ  ＥＰ  ＲＯＭ）又はフラッシュメモリである。揮発性メモリは、ＲＡＭ（Ｒａｎｄｏｍ  Ａｃｃｅｓｓ  Ｍｅｍｏｒｙ）であり、外部のキャッシュに用いられる。多くの形態のＲＡＭが使用可能であるが、その例として、例えばＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）、ＤＤＲＳＤＲＡＭ（Ｄｏｕｂｌｅ  Ｄａｔａ  Ｒａｔｅ  ＳＤＲＡＭ）、ＥＳＤＲＡＭ（Ｅｎｈａｎｃｅｄ  ＳＤＲＡＭ）、ＳＬＤＲＡＭ（Ｓｙｎｃｈｌｉｎｋ  ＤＲＡＭ）、ＤＲＲＡＭ（Ｄｉｒｅｃｔ  Ｒａｍｂｕｓ  ＲＡＭ）が挙げられるが、それらに限られない。本開示の実施例に記載のメモリ２７０２は、これらに限られず、これら及びこれら以外の任意の適合する種類のメモリを含むとする。
【０１４２】
一部実施例において、メモリ２７０２には、実行可能なモジュール又はデータ構造、又はそれらのサブセット、又は、それらの拡張セットであるオペレーションシステム２７０２１とアプリケーションプログラム２７０２２が記憶されている。
【０１４３】
ここで、オペレーションシステム２７０２１は、フレーム層、コアライブラリ層、駆動層など各種類のシステムプログラムを含み、各種類のベーシックサービスの実現及びハードウェアに基づくタスクの処理に用いられる。アプリケーションプログラム２７０２２は、メディアプレイヤー（Ｍｅｄｉａ  Ｐｌａｙｅｒ）、ブラウザ（Ｂｒｏｗｓｅｒ）など各種類のアプリケーションプログラムを含み、各種類のアプリケーションサービスの実現に用いられる。本開示の一部実施例における方法を実現するプログラムは、アプリケーションプログラム２７０２２に含まれる。
【０１４４】
本開示の一部実施例において、端末２７００は、メモリ２７０２に格納されてプロセッサ２７０１で実行可能なコンピュータプログラムを更に含む。該コンピュータプログラムがプロセッサ２７０１によって実行されると、本開示の一部実施例に係るデータ伝送方法のステップが実現される。
【０１４５】
上記の本開示の一部実施例に開示される方法は、プロセッサ２７０１に応用可能であり、又はプロセッサ２７０１によって実現される。プロセッサ２７０１は、信号処理能力を有するＩＣチップである。実現プロセスにおいて、上記方法の各ステップは、プロセッサ２７０１におけるハードウェアの集積論理回路又はソフトウェア形式の指令によって遂行される。上記プロセッサ２７０１は、汎用プロセッサ、ＤＳＰ（Ｄｉｇｉｔａｌ  Ｓｉｇｎａｌ  Ｐｒｏｃｅｓｓｏｒ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＦＰＧＡ（Ｆｉｅｌｄ  Ｐｒｏｇｒａｍｍａｂｌｅ  Ｇａｔｅ  Ａｒｒａｙ）又は他のプログラマブル論理デバイス、分離ゲート又はトランジスタ論理デバイス、分離ハードウェアコンポーネントであり、本開示の一部実施例に開示される各方法、ステップ及び論理ブロック図を実現し又は実行することができる。汎用プロセッサは、マイクロプロセッサ又は任意の通常プロセッサなどである。本開示の一部実施例に開示される方法のステップは、直接ハードウェアの復号プロセッサによって実行されて遂行されるか、復号プロセッサにおけるハードウェア及びソフトウェアモジュールの組み合わせによって実行されて遂行される。ソフトウェアモジュールは、ＲＡＭ、フラッシュメモリ、ＲＯＭ、ＰＲＯＭ又はＥＥＰＲＯＭ、レジスタなど本分野の周知のコンピュータ読み取り可能な記憶媒体に位置する。当該コンピュータ読み取り可能な記憶媒体は、メモリ２７０２に位置する。プロセッサ２７０１は、メモリ２７０２における情報を読み取って、そのハードウェアと組み合わせて上記方法のステップを遂行する。具体的には、該コンピュータ読み取り可能な記憶媒体には、コンピュータプログラムが格納されている。
【０１４６】
図２８を参照し、本開示の一部実施例は、別の通信機器２８００を提供し、プロセッサ２８０１と、トランシーバ２８０２と、メモリ２８０３と、バスインタフェースとを含む。
【０１４７】
ここで、プロセッサ２８０１は、バスアーキテクチャと通常の処理を管理する。メモリ２８０３は、プロセッサ２８０１による操作実行に使用されるデータを記憶できる。
【０１４８】
本開示の一部実施例において、通信機器２８００は、メモリ２８０３に格納されてプロセッサ２８０１で実行可能なプログラムを更に含む。該プログラムがプロセッサ２８０１によって実行されると、本開示の一部実施例に係るデータ伝送方法のステップが実現される。
【０１４９】
図２８において、バスアーキテクチャは、任意数の相互接続するバスとブリッジを含み、具体的に、プロセッサ２８０１をはじめとする１つ又は複数のプロセッサとメモリ２８０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本開示の一部実施例においてさらなる記載をしない。バスインタフェースにより、インタフェースが提供される。トランシーバ２８０２は、複数の部品であってもよく、即ち送信機と受信機を含み、伝送媒体でほかの各種類の装置と通信するユニットとして提供される。
【０１５０】
本開示の一部実施例は、コンピュータプログラムが記憶されているコンピュータ読み取り可能な記憶媒体を更に提供し、当該コンピュータプログラムがプロセッサによって実行されると、上記データ伝送方法の実施例の各プロセスが実現され、かつ同じ技術効果を奏することもできるため、重複を避けるために、ここでは繰り返して記載しない。ここで、前記コンピュータ読み取り可能な記憶媒体は、例えば、リードオンリーメモリＲＯＭ（Ｒｅａｄ−Ｏｎｌｙ  Ｍｅｍｏｒｙ）、ランダムアクセスメモリＲＡＭ（Ｒａｎｄｏｍ  Ａｃｃｅｓｓ  Ｍｅｍｏｒｙ）、磁気ディスク又は光ディスクなど等である。
【０１５１】
図２９を参照し、本開示の一部実施例は、端末２９００を提供する。端末２９００は、１周期内に構成されたリソース上でネットワーク機器へのデータ伝送を開始する第１送信モジュール２９０１と、前記端末が前記周期の境界を跨いでデータ伝送を行う必要がある場合、ＲＶ値又はリソース又はＤＭＲＳを現在の値から他の値に変更する調整モジュール２９０２とを含む。
【０１５２】
本開示の一部実施例において、任意選択で、端末は、ネットワーク機器によって構成されたリソース構成情報を受信する受信モジュールを更に含む。前記リソース構成情報は、少なくとも、リソース割り当ての周期、繰り返し伝送回数Ｋ、１つの冗長バージョンＲＶ系列、前記周期内のＫ個の伝送機会のリソース位置、前記端末による周期を跨ぐ伝送が前記ネットワーク機器に許容されるか否か、周期を跨ぐ伝送が許容される伝送機会の数、前記周期内での初回の繰り返し伝送が許容される伝送機会、周期の境界を跨いだ後の別のＲＶ系列、周期の境界を跨いだ後の別の復調基準信号ＤＭＲＳの１つ又は複数を含む。
【０１５３】
任意選択で、前記端末は、前記リソース構成情報に基づいて、前記周期の境界、前記Ｋ個の伝送機会の位置、及び伝送機会毎の繰り返し伝送のＲＶ値の１つ又は複数を決定する決定モジュールを更に含む。
【０１５４】
本開示の一部実施例において、任意選択で、前記端末は、前記周期内のいずれかの伝送機会に初回の繰り返し伝送を行い、前記周期内に伝送機会があり、且つ、繰り返し伝送の総回数が前記Ｋ未満である場合、前記伝送機会に繰り返し伝送を行う第１伝送モジュールを更に含む。
【０１５５】
本開示の一部実施例において、任意選択で、端末は、前記周期内で最も早い伝送機会を選択して初回の繰り返し伝送を行う第２伝送モジュールを更に含む。前記初回の繰り返し伝送のＲＶ値は、前記ＲＶ系列の第１値である０に等しい。
【０１５６】
本開示の一部実施例において、任意選択で、端末は、前記端末が繰り返し伝送を行う度に、前記繰り返し伝送が前記周期の境界を跨ぐか否かを判断し、前記周期の境界を跨がず、且つ繰り返し伝送の総回数が繰り返し伝送回数Ｋ未満である場合、ＲＶ系列におけるＲＶ値により前記繰り返し伝送を継続し、それに続き、前記繰り返し伝送後の繰り返し伝送が前記周期の境界を跨ぐか否かを判断する第１判断モジュールを更に含む。
【０１５７】
本開示の一部実施例において、任意選択で、端末は、前記端末が繰り返し伝送を行う度に、前記繰り返し伝送が前記周期の境界を跨ぐか否かを判断し、前記周期の境界を跨ぎ、且つ前記端末による周期を跨ぐ伝送が前記ネットワーク機器に許容されない場合、繰り返し伝送を終了する第２判断モジュールを更に含む。
【０１５８】
本開示の一部実施例において、任意選択で、端末は、前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしない第３判断モジュールを更に含む。
【０１５９】
本開示の一部実施例において、任意選択で、端末は、前記端末が繰り返し伝送を行う度に、前記繰り返し伝送が前記周期の境界を跨ぐか否かを判断し、前記周期の境界を跨ぎ、且つ前記端末による周期を跨ぐ伝送が前記ネットワーク機器に許容される場合、前記ＲＶ系列におけるＲＶ値が０であるかを判断し、前記ＲＶ系列におけるＲＶ値が０ではなく、且つ繰り返し伝送の総回数が繰り返し伝送回数Ｋ未満である場合、前記ＲＶ系列におけるＲＶ値により前記繰り返し伝送を継続し、それに続き、前記繰り返し伝送後の繰り返し伝送が前記周期の境界を跨ぐか否かを判断する第４判断モジュールを更に含む。
【０１６０】
本開示の一部実施例において、任意選択で、端末は、前記端末が繰り返し伝送を行う度に、前記繰り返し伝送が前記周期の境界を跨ぐか否かを判断し、前記周期の境界を跨ぎ、且つ前記端末による周期を跨ぐ伝送が前記ネットワーク機器に許容される場合、前記ＲＶ系列におけるＲＶ値が０であるかを判断し、前記ＲＶ系列におけるＲＶ値が０であり、且つ繰り返し伝送の総回数が繰り返し伝送回数Ｋ未満である場合、他のＲＶ値により前記繰り返し伝送を継続し、それに続き、前記繰り返し伝送後の繰り返し伝送が前記周期の境界を跨ぐか否かを判断する第５判断モジュールを更に含む。
【０１６１】
本開示の一部実施例において、任意選択で、端末は、前記端末による周期を跨ぐ伝送が前記ネットワーク機器に許容される場合、前記周期を跨ぐ伝送の繰り返し伝送のうち、周期の境界を跨いだ後の別の復調基準信号ＤＭＲＳにより復調基準信号ＤＭＲＳの値をとる第６判断モジュールを更に含む。前記別のＤＭＲＳは、別のアンテナポートａｎｔｅｎｎａ  ｐｏｒｔであり、又は前記ＤＭＲＳの別の構成パラメータであり、又は前記ＤＭＲＳの生成における別のパラメータである。
【０１６２】
本開示の一部実施例において、端末は、ネットワーク機器によって構成されたリソースで通信を行い、低遅延要件を満たす前提で、高信頼性と低複雑性を折衷することを実現する。
【０１６３】
図３０を参照し、本開示の一部実施例は、ネットワーク機器３０００を提供する。ネットワーク機器３０００は、端末に対して、少なくとも、リソース割り当ての周期、繰り返し伝送回数、冗長バージョンＲＶ系列、前記周期内での前記繰り返し伝送回数に等しい第１数のリソース位置、前記端末による周期を跨ぐ伝送が前記ネットワーク機器に許容されるか否か、周期の境界を跨いだ後の別のＲＶ系列、周期の境界を跨いだ後の別の復調基準信号ＤＭＲＳの１つ又は複数を含むリソース構成情報を送信する第２送信モジュール３００１を含む。
【０１６４】
本開示の一部実施例において、端末は、ネットワーク機器によって構成されたリソースで通信を行い、低遅延要件を満たす前提で、高信頼性と低複雑性を折衷することを実現する。
【０１６５】
本開示の開示内容と関連付けて記載した方法又はアルゴリズムのステップは、ハードウェアの方式で実現されてもよく、プロセッサでソフトウェア指令を実行する方式で実現されてもよい。ソフトウェア指令は、対応するソフトウェアモジュールで構成される。ソフトウェアモジュールは、ＲＡＭ、フラッシュメモリ、ＲＯＭ、ＥＰＲＯＭ、ＥＥＰＲＯＭ、レジスタ、ハードディスク、移動ハードディスク、リードオンリー光ディスク又は本分野で周知されているあらゆる形式の記憶媒体に位置する。例示的な記憶媒体は、プロセッサに結合される。よって、プロセッサは、当該記憶媒体から情報を読み取り、かつ当該記憶媒体に情報を書き込むことができる。もちろん、記憶媒体は、プロセッサの構成部分であってもよい。プロセッサと記憶媒体は、ＡＳＩＣに位置してもよい。また、当該ＡＳＩＣは、コアネットワークインタフェース機器に位置ししてもよい。もちろん、プロセッサと記憶媒体は、分離構成としてコアネットワークインタフェース機器に位置してもよい。
【０１６６】
上記の１つ又は複数の例において、本発明に記載の機能がハードウェア、ソフトウェア、ファームウェア又はそれらの組み合わせによって実現可能であることは、当業者が認識可能である。ソフトウェアで実現される場合、これらの機能をコンピュータ読み取り可能な媒体に記憶するか、コンピュータ読み取り可能な媒体の１つ又は複数の指令又はコードとして伝送される。コンピュータ読み取り可能な媒体は、コンピュータ記憶媒体と通信媒体を含む。通信媒体は、１つの場所から別の場所へコンピュータプログラムを伝送するあらゆる媒体を含む。記憶媒体は、汎用又は特殊用途向けのコンピュータによってアクセス可能なあらゆる利用可能な媒体である。
【０１６７】
以上に記載した具体的な実施形態によって、本発明の目的、技術手段及び効果をさらなる詳細な説明をした。なお、以上の記載は、本発明の具体的な実施形態に過ぎず、本発明の保護範囲を限定するためのものではない。本発明の技術手段を基に為したあらゆる修正、均等置換及び改良などは、すべて本発明の保護範囲に含まれるべきである。
【０１６８】
本開示の一部実施例が、方法、装置、又はコンピュータプログラム製品として提供できることは、当業者には理解される。従って、本開示の一部実施例は、完全なハードウェア実施例、完全なソフトウェア実施例、又はソフトウェアとハードウェアを組み合わせた実施例の形態を採用できる。更に、本開示の一部実施例は、コンピュータ使用可能プログラムコードを含む１つ又は複数のコンピュータ使用可能記憶媒体（磁気ディスクメモリ、読み取り専用光ディスクＣＤ−ＲＯＭ、光学メモリなどを含むが、それに限られない）で実施されるコンピュータプログラム製品の形態を採用できる。
【０１６９】
本開示の一部実施例は、本開示の一部実施例による方法、端末機器（システム）、及びコンピュータプログラム製品のフローチャート及び／又はブロック図を参照して説明される。フローチャート及び／又はブロック図の各フロー及び／又はブロック、並びにフローチャート及び／又はブロック図におけるフロー及び／又はブロックの組み合わせは、コンピュータプログラム命令によって実現されることが理解される。これらのコンピュータプログラム命令は、汎用コンピュータ、専用コンピュータ、組み込みプロセッサ、又は他のプログラム可能なデータ処理端末機器のプロセッサに提供されて、マシンを生成し、コンピュータ又は他のプログラム可能なデータ処理端末機器のプロセッサによって実行される命令が、フローチャートの１つのフロー若しくは複数のフロー及び／又はブロック図の１つのブロック若しくは複数のブロックにおいて指定される機能を実現するための手段を生成するようにしてもよい。
【０１７０】
これらのコンピュータプログラム命令は、コンピュータ又は他のプログラム可能なデータ処理端末機器に特定の方法で機能するように指示することができるコンピュータ可読メモリに記憶されてもよく、その結果、コンピュータ可読メモリに記憶された命令は、フローチャートの１つ若しくは複数のフロー、及び／又はブロック図の１つ若しくは複数のブロックにおいて指定された機能を実現する命令手段を含む製品を生成する。
【０１７１】
これらのコンピュータプログラム命令は、コンピュータ又は他のプログラム可能な端末機器上で一連の動作ステップを実行してコンピュータ実現プロセスを生成し、それにより、コンピュータ又は他のプログラム可能な端末機器上で実行される命令が、フローチャートの１つのフロー若しくは複数のフロー及び／又はブロック図の１つのブロック若しくは複数のブロックにおいて指定される機能を実現するためのステップを提供するように、コンピュータ又は他のプログラム可能なデータ処理端末機器上にロードされてもよい。
【０１７２】
明らかに、当業者は、本開示の一部実施例について、本開示の精神や範囲を逸脱することなく、様々な変更や変形を行うことができる。このように、本開示の一部実施例に係るこれらの修正や変形が本開示の特許請求の範囲及びその同等技術の範囲に属するのであれば、本開示は、これらの変更や変形を含むことを意図とする。
【図１】
2022501941.tif 000004
【図２】
2022501941.tif 000005
【図３】
2022501941.tif 000006
【図４】
2022501941.tif 000007
【図５】
2022501941.tif 000008
【図６】
2022501941.tif 000009
【図７】
2022501941.tif 000010
【図８】
2022501941.tif 000011
【図９】
2022501941.tif 000012
【図１０】
2022501941.tif 000013
【図１１】
2022501941.tif 000014
【図１２】
2022501941.tif 000015
【図１３】
2022501941.tif 000016
【図１４】
2022501941.tif 000017
【図１５】
2022501941.tif 000018
【図１６】
2022501941.tif 000019
【図１７】
2022501941.tif 000020
【図１８】
2022501941.tif 000021
【図１９】
2022501941.tif 000022
【図２０】
2022501941.tif 000023
【図２１】
2022501941.tif 000024
【図２２】
2022501941.tif 000025
【図２３】
2022501941.tif 000026
【図２４】
2022501941.tif 000027
【図２５】
2022501941.tif 000028
【図２６】
2022501941.tif 000029
【図２７】
2022501941.tif 000030
【図２８】
2022501941.tif 000031
【図２９】
2022501941.tif 000032
【図３０】
2022501941.tif 000033
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
端末に応用されるデータ伝送方法であって、
１周期内に構成されたリソース上でネットワーク機器へのデータ伝送を開始することと、
前記端末が前記周期の境界を跨いでデータ伝送を行う必要がある場合、冗長バージョンＲＶ値又はリソース又は復調基準信号ＤＭＲＳを現在の値から他の値に変更することとを含む、データ伝送方法。
【請求項２】
ネットワーク機器によって構成されたリソース構成情報を受信することを更に含み、
前記リソース構成情報は、少なくとも、リソース割り当ての周期、繰り返し伝送回数Ｋ、１つのＲＶ系列、前記周期内のＫ個の伝送機会のリソース位置、前記端末による周期を跨ぐ伝送が前記ネットワーク機器に許容されるか否か、周期を跨ぐ伝送が許容される伝送機会の数、前記周期内での初回の繰り返し伝送が許容される伝送機会、周期の境界を跨いだ後の別のＲＶ系列、周期の境界を跨いだ後の別の復調基準信号ＤＭＲＳの１つ又は複数を含む、請求項１に記載のデータ伝送方法。
【請求項３】
前記ネットワーク機器によって構成されたリソース構成情報を受信した後に、
前記リソース構成情報に基づいて、前記周期の境界、前記Ｋ個の伝送機会の位置、及び伝送機会毎の繰り返し伝送のＲＶ値の１つ又は複数を決定することを更に含む、請求項２に記載のデータ伝送方法。
【請求項４】
前記ネットワーク機器によって構成されたリソース構成情報を受信した後に、
前記周期内のいずれかの伝送機会に初回の繰り返し伝送を行い、前記周期内に伝送機会があり、且つ、繰り返し伝送の総回数が前記Ｋ未満である場合、前記伝送機会に次の繰り返し伝送を行うことを更に含む、請求項２に記載のデータ伝送方法。
【請求項５】
前記の前記周期内のいずれかの伝送機会に初回の繰り返し伝送を行うことは、
前記周期内で最も早い伝送機会を選択して初回の繰り返し伝送を行うことを含み、
前記初回の繰り返し伝送のＲＶ値は、前記ＲＶ系列の第１値である０に等しい、請求項４に記載のデータ伝送方法。
【請求項６】
前記端末が繰り返し伝送を行う度に、前記繰り返し伝送が前記周期の境界を跨ぐか否かを判断することと、
前記周期の境界を跨がず、且つ繰り返し伝送の総回数が繰り返し伝送回数Ｋ未満である場合、ＲＶ系列におけるＲＶ値により前記繰り返し伝送を継続し、それに続き、前記繰り返し伝送後の繰り返し伝送が前記周期の境界を跨ぐか否かを判断することとを更に含む、請求項１に記載のデータ伝送方法。
【請求項７】
前記端末が繰り返し伝送を行う度に、前記繰り返し伝送が前記周期の境界を跨ぐか否かを判断することと、
前記周期の境界を跨ぎ、且つ前記端末による周期を跨ぐ伝送が前記ネットワーク機器に許容されない場合、繰り返し伝送を終了することとを更に含む、請求項１に記載のデータ伝送方法。
【請求項８】
前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしないこと、又は、
前記端末による周期を跨ぐ伝送が前記ネットワーク機器に許容される場合、前記周期を跨ぐ伝送の繰り返し伝送のうち、周期の境界を跨いだ後の別のＲＶ系列によりＲＶ値をとることを更に含む、請求項１に記載のデータ伝送方法。
【請求項９】
前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしないことは、
前記端末が繰り返し伝送を行う度に、前記繰り返し伝送が前記周期の境界を跨ぐか否かを判断することと、
前記周期の境界を跨ぎ、且つ前記端末による周期を跨ぐ伝送が前記ネットワーク機器に許容される場合、前記ＲＶ系列におけるＲＶ値が０であるかを判断することと、
前記ＲＶ系列におけるＲＶ値が０ではなく、且つ繰り返し伝送の総回数が繰り返し伝送回数Ｋ未満である場合、前記ＲＶ系列におけるＲＶ値により前記繰り返し伝送を継続し、それに続き、前記繰り返し伝送後の繰り返し伝送が前記周期の境界を跨ぐか否かを判断することとを更に含む、請求項８に記載のデータ伝送方法。
【請求項１０】
前記端末による周期を跨ぐ伝送が前記ネットワーク機器に許容される場合、前記周期を跨ぐ伝送の繰り返し伝送のうち、ＲＶ値が０に等しい繰り返し伝送を他のＲＶ値の繰り返し伝送に調整し、他の繰り返し伝送のＲＶ値の変更をしないことは、
前記端末が繰り返し伝送を行う度に、前記繰り返し伝送が前記周期の境界を跨ぐか否かを判断することと、
前記周期の境界を跨ぎ、且つ前記端末による周期を跨ぐ伝送が前記ネットワーク機器に許容される場合、前記ＲＶ系列におけるＲＶ値が０であるかを判断することと、
前記ＲＶ系列におけるＲＶ値が０であり、且つ繰り返し伝送の総回数が繰り返し伝送回数Ｋ未満である場合、他のＲＶ値により前記繰り返し伝送を継続し、それに続き、前記繰り返し伝送後の繰り返し伝送が前記周期の境界を跨ぐか否かを判断することとを更に含む、請求項８に記載のデータ伝送方法。
【請求項１１】
前記端末による周期を跨ぐ伝送が前記ネットワーク機器に許容される場合、前記周期を跨ぐ伝送の繰り返し伝送のうち、周期の境界を跨いだ後の別の復調基準信号ＤＭＲＳにより復調基準信号ＤＭＲＳの値をとることを更に含み、
前記別のＤＭＲＳは、別のアンテナポートａｎｔｅｎｎａ0  ｐｏｒｔであり、又は前記ＤＭＲＳの別の構成パラメータであり、又は前記ＤＭＲＳの生成における別のパラメータである、請求項１に記載のデータ伝送方法。
【請求項１２】
ネットワーク機器に応用されるデータ伝送方法であって、
端末に対して、少なくとも、リソース割り当ての周期、繰り返し伝送回数、冗長バージョンＲＶ系列、前記周期内での前記繰り返し伝送回数に等しい第１数のリソース位置、前記端末による周期を跨ぐ伝送が前記ネットワーク機器に許容されるか否か、周期の境界を跨いだ後の別のＲＶ系列、周期の境界を跨いだ後の別の復調基準信号ＤＭＲＳの１つ又は複数を含むリソース構成情報を送信することを含む、データ伝送方法。
【請求項１３】
１周期内に構成されたリソース上でネットワーク機器へのデータ伝送を開始する第１送信モジュールと、
前記端末が前記周期の境界を跨いでデータ伝送を行う必要がある場合、ＲＶ値又はリソース又はＤＭＲＳを現在の値から他の値に変更する調整モジュールとを含む、端末。
【請求項１４】
ネットワーク機器によって構成されたリソース構成情報を受信する受信モジュールを更に含み、
前記リソース構成情報は、少なくとも、リソース割り当ての周期、繰り返し伝送回数Ｋ、１つのＲＶ系列、前記周期内のＫ個の伝送機会のリソース位置、前記端末による周期を跨ぐ伝送が前記ネットワーク機器に許容されるか否か、周期を跨ぐ伝送が許容される伝送機会の数、前記周期内での初回の繰り返し伝送が許容される伝送機会、周期の境界を跨いだ後の別のＲＶ系列、周期の境界を跨いだ後の別の復調基準信号ＤＭＲＳの１つ又は複数を含む、請求項１３に記載の端末。
【請求項１５】
端末に対して、少なくとも、リソース割り当ての周期、繰り返し伝送回数、冗長バージョンＲＶ系列、前記周期内での前記繰り返し伝送回数に等しい第１数のリソース位置、前記端末による周期を跨ぐ伝送が前記ネットワーク機器に許容されるか否か、周期の境界を跨いだ後の別のＲＶ系列、周期の境界を跨いだ後の別の復調基準信号ＤＭＲＳの１つ又は複数を含むリソース構成情報を送信する第２送信モジュールを含む、ネットワーク機器。
【国際調査報告】
2022501941.tif 000034
2022501941.tif 000035
2022501941.tif 000036
2022501941.tif 000037